(57)【特許請求の範囲】
【請求項１】
ゴルフクラブフェースプレートその他の適用可能なスポーツ用具の内部に有されるセル格子であって、
内方板と、
外方板と、
複数のセル壁部であって、
前記内方板と前記外方板の間で前記複数のセル壁部の中心を通って延びる複数の軸であり、前記セル壁部が約４５度以下０度以上の角度で前記軸から延びる、複数の軸と、
前記内方板および前記外方板からの位置に対して変化する壁部厚さと、を有する前記複数のセル壁部と、
前記複数のセル壁部により画定され、前記内方板と前記外方板の間に位置する複数のセルと、
前記セル格子における過剰な材料を除去するための複数の開口部であって、前記セル格子の中央部付近に位置する少なくとも一つの第１の開口部、および前記セル格子の周縁部近くに位置する残りの開口部を含む前記複数の開口部と、を備え、
前記セル格子の前記中央部付近と前記セル格子の前記周縁部に属しない領域は、開口部を含まず、
前記複数の開口部の各々は、前記セル格子の前記複数のセルのうちの対応する一つのセルから、前記セル格子の前記内方板を通るように、または前記セル格子の前記外方板を通るように配置され、
前記内方板と前記外方板とは、前記ゴルフクラブフェースプレートその他の適用可能なスポーツ用具の内部に有されるセル格子。
【請求項２】
前記壁部厚さは、前記セル格子の中央領域付近よりも前記内方板および前記外方板付近の方が大きい、請求項１に記載のセル格子。
【請求項３】
最小の壁部厚さは、０．００５インチから０．２インチの範囲である、請求項１又は２に記載のセル格子。
【請求項４】
最大のセル幅は、０．００５インチから０．２インチの範囲である、請求項１から３のいずれか一項に記載のセル格子。
【請求項５】
前記壁部厚さが変化して複数の砂時計形状を画定する、請求項１から４のいずれか一項に記載のセル格子。
【請求項６】
隣接する軸の間の中心間距離は、０．００５インチから０．２インチの範囲である、請求項１から５のいずれか一項に記載のセル格子。
【請求項７】
前記軸は、前記セル格子の中央部から半径方向に位置する、請求項１から６のいずれかに記載のセル格子。
【請求項８】
前記開口部の直径は、約０．００５インチから０．２インチの範囲である、請求項１から７のいずれか一項に記載のセル格子。
【請求項９】
前記複数の開口部のそれぞれは、前記開口部の前記直径の２倍以上の距離だけ前記残りの開口部から離間される、請求項８に記載のセル格子。
【発明の詳細な説明】
【技術分野】
【０００１】
関連出願の相互参照
本出願は、２０１５年５月２２日に出願された米国仮特許出願第６２／１６５，６８３号、２０１６年２月１１日に出願された米国仮特許出願第６２／２９３，９１４号、及び米国仮特許出願第６１／５３７，２７８号の優先権を主張する２０１２年１月１７日に出願された米国特許出願第１３／３５２，０８６号の継続出願である、２０１４年１月１６日に出願された米国特許出願第１４／１５７，３４５号の優先権を主張するものであり、この全内容は、参照により本明細書に援用される。
【０００２】
本開示は、一般的にはスポーツ用具に関し、より詳細には内部セル格子を有するゴルフクラブフェースプレートおよびそれに関連する方法に関する。
【背景技術】
【０００３】
ゴルフクラブヘッド技術の開発は、一部においては、重量および質量の位置に関して配慮しつつ、プレー特性（プレーのし易さ）を向上させるという要望を特徴としてきた。例えば、特開２００２−３６０７４８号公報には、ゴルフクラブヘッドのフェースに多数の貫通穴を配置して、フェースを軽量化する技術が開示されている。しかしながら、ゴルフクラブヘッドの高応力位置および／または厚さが限定される位置における、あるいはその周囲における、質量の変更または再分配を行い得る可能性は、構造的弾性に関する配慮に関連してバランスを取る必要がある。上記を考慮しつつ、重量の再分配に関してさらに研究することにより、ゴルフクラブヘッドのプレー特性（プレーのし易さ）が進歩することになる。
【０００４】
図面内の添付の図と組み合わせて実施形態の例の以下の詳細な説明を読むことにより、本開示がよりよく理解されよう。
【図面の簡単な説明】
【０００５】
【図１】クラブヘッドボディに結合されているフェースプレートを備えるゴルフクラブヘッドの正面透視図である。
【０００６】
【図２】線II-IIに沿った図１のフェースプレートの断面図である。
【０００７】
【図３】一体的に組み合わされる前の、図１のフェースプレートを構成する種々の層の部分の斜視図である。
【０００８】
【図４】格子パターンおよび位置合わせ要素を備える、図１のフェースプレートの中間部層の正面図である。
【０００９】
【図５】内方板層を除いたフェースプレートの一実施形態において、露出したセル格子の空隙部分に、および、その周囲に不利に集中した不均一な応力分布を示した有限要素解析を示す図である。
【００１０】
【図６】図１のフェースプレートのセル格子の一部分の斜視図である。
【００１１】
【図７】フェースプレートのセル格子の一部分の正面図である。
【００１２】
【図８】フェースプレートのセル格子の一部分の側面図である。
【００１３】
【図９】フェースプレートのセル格子の一部分の側面図である。
【００１４】
【図１０】ゴルフクラブヘッド用のフェースプレートを提供するための方法のフローチャートである。
【００１５】
【図１１】フェースプレートのセル格子の一部分を示す図である。
【００１６】
【図１２】フェースプレートのセル格子の一部分を示す図である。
【００１７】
【図１３】フェースプレートのセル格子の一部分を示す図である。
【００１８】
【図１４】フェースプレートのセル格子の一部分を示す図である。
【００１９】
【図１５】フェースプレートのセル格子の一部分を示す図である。
【００２０】
【図１６】フェースプレートのセル格子の一部分を示す図である。
【００２１】
【図１７】高さが相互に異なるセルを有するセル格子を有するフェースプレートの断面図である。
【００２２】
【図１８】不均一なセル寸法を有するセル格子を備えるフェースプレートの正面「Ｘ線」透視図である。
【００２３】
【図１９】１つまたは複数のセル格子により種々のセル格子領域に区分されたフェースプレートの正面図である。
【００２４】
【図２０】１つまたは複数のセル格子により種々のセル格子領域に区分されたフェースプレートの正面図である。
【００２５】
【図２１】１つまたは複数のセル格子により種々のセル格子領域に区分されたフェースプレートの正面図である。
【００２６】
【図２２】１つまたは複数のセル格子により種々のセル格子領域に区分されたフェースプレートの正面図である。
【００２７】
【図２３】ゴルフクラブヘッド用のフェースプレートを製作する方法のフローチャートである。
【００２８】
【図２４】クラブヘッドボディに結合されたフェースプレートを備えるゴルフクラブヘッドの正面透視図である。
【００２９】
【図２５】実施形態によるセル格子を有するゴルフクラブヘッドのフェースプレートの正面図である。
【００３０】
【図２６】別の実施形態によるセル格子を有するゴルフクラブヘッドのフェースプレートの正面図である。
【００３１】
【図２７】フェースプレートのセル格子の一部分の側面図である。
【００３２】
【図２８Ａ】一実施形態によるセル格子を有するフェースプレートの一部分の正面断面図である。
【００３３】
【図２８Ｂ】一実施形態によるセル格子を有するフェースプレートの一部分の正面断面図である。
【００３４】
【図２８Ｃ】一実施形態によるセル格子を有するフェースプレートの一部分の正面断面図である。
【発明を実施するための形態】
【００３５】
説明を簡潔かつ明瞭にするために、図面は、構造を包括的に示しており、本開示を不必要に不明瞭にすることを避けるために、周知の特徴及び技術については、説明及び詳細を省略する場合がある。更に、図面の要素は、必ずしも実際の縮尺を反映していない。例えば、図面の幾つかの要素の寸法は、本発明の実施形態を明瞭にするために、他の要素に対して誇張して示している場合がある。異なる図面における同じ参照符号は、同じ要素を示す。
【００３６】
明細書及び特許請求の範囲における「第１」、「第２」、「第３」、及び「第４」等の用語は、類似の要素を区別するために使用しており、必ずしも特定の順序又は時系列を示すものではない。このように使用される用語は、適切な状況下で交換可能であり、例えば、本明細書に記載する実施形態は、本明細書に図示し又は他の手法で記載している順序以外の順序で実行してもよい。更に、「含む」、「有する」及びこの活用形は、非排他的な包含を意図しており、要素のリストを備えるプロセス、方法、システム、物品、装置、又は機器は、必ずしもこれらの要素に限定されるものではなく、明示的に列挙されていない要素又はこのようなプロセス、方法、システム、物品、装置、又は機器に固有の他の要素を含むことができる。
【００３７】
明細書及び特許請求の範囲における「左」、「右」、「前」、「後」、「頂部」、「底部」、「上」、「下」等の用語は、説明を目的とし、必ずしも恒久的な相対位置を記述するものではない。これらの用語は、適切な状況下で交換可能であり、本明細書に記載する装置、方法、及び／又は物品の実施形態は、例えば、本明細書に例示又は記載した向きとは異なる向きで動作することができる。
【００３８】
一実施形態において、ゴルフクラブヘッド用のフェースプレートを提供するための方法は、フェースプレートの内方板を提供することと、フェースプレートの外方板を提供することと、フェースプレートの中間部を提供することと、内方板と外方板との間で中間部を囲むこととを備え得る。中間部を提供することは、第１の中間部層および第２の中間部層を備える複数の中間部層を提供することと、第１の中間部層を貫通する第１の格子パターンを形成することと、第２の中間部層を貫通する第２の格子パターンを形成することとを備え得る。内方板、外方板、および中間部を提供することは、中間部、内方板、または外方板のそれぞれを別個の異なる片として提供することを備え得る。中間部を囲むことは、第１の中間部層および第２の中間部層を備え、内方板、中間部、および外方板を共に拡散接合することにより、内方板と中間部との間および中間部と外方板との間が実質的にシームレスである単一の一体材料片をもたらすことを備え得る。拡散接合後には、中間部の中間部中央領域は、セル格子を備えることが可能であり、これらのセル格子は、六角形パターンで複数のセルを画定する複数の壁部を備えることが可能であり、セル格子のこれらの複数の壁部および複数のセルは、少なくとも部分的には、第１の格子パターンおよび第２の格子パターンにより画定され得るものであり、セル格子は、フェースプレートの内方板と外方板との間に完全に囲まれ得るものであり、中間部の中間部周縁領域は、中間部中央領域を囲むことが可能であり、セル格子を有さないことが可能である。第１の中間部層を貫通する第１の格子パターンを形成することは、第１の中間部層を貫通する第１の切欠部を形成することを備えることが可能であり、第１の切欠部は、セル格子の第１のセルの第１の容積部分を画定するように構成される。第２の中間部層を貫通する第２の格子パターンを形成することは、第２の中間部層を貫通する第２の切欠部を形成することを備えることが可能であり、第２の切欠部は、第１のセルの第２の容積部分を画定するように構成される。中間部を囲むことは、第１の切欠部および第２の切欠部が、第１のセルの第１のセル軸を中心として配置されるように、第１の中間部層の上に第２の中間部層を位置合わせすることを備え得る。
【００３９】
一実施形態においては、ゴルフクラブヘッド用のフェースプレートを提供するための方法は、フェースプレートの内方板を提供することと、フェースプレートの外方板を提供することと、フェースプレートの中間部を提供することと、中間部の内方中間部端部がフェースプレートの内方板に対して結合されるように、および中間部の外方中間部端部がフェースプレートの外方板に対して結合されるように、内方板と外方板との間で中間部を結合することとを備え得る。中間部を提供することは、中間部内にセル格子を提供することを備えることが可能であり、このセル格子は、複数のセルを画定する複数の壁部を備える。
【００４０】
一実施形態においては、ゴルフクラブヘッド用のフェースプレートは、内方板、外方板、および中間部を備え得る。中間部は、内方板に結合される内方中間部端部と、外方板に結合される外方中間部端部と、内方中間部端部と外方中間部端部との間に複数のセルを画定する複数の壁部を備えるセル格子とを備え得る。
【００４１】
本明細書においては、他の例および実施形態がさらに開示される。かかる例および実施形態は、図面、特許請求の範囲、および／または本説明内において確認し得る。
【００４２】
図面を参照すると、図１は、クラブヘッドボディ１０９に結合されているフェースプレート１００を備えるゴルフクラブヘッド１０の正面透視図を示す。図２は、図１の線II-IIに沿ったフェースプレート１００の断面図を示す。図２に示されるように、フェースプレート１００は、内方板２１０、外方板１２０、および内方板２１０と外方板１２０との間の中間部２３０を備え、中間部２３０は、セル２４２を画定する壁部２４１を有するセル格子２４０を備える。本例においては、セル格子２４０は、内側中間部端部２４５（セル格子２４０が内方板２１０に結合される位置）から外側中間部端部２４６（セル格子２４０が内方板２１０に対して結合される位置）まで延在する。したがって、セル格子２４０は、本例においては、内方板１２０と外方板２１０との間、および、周縁中間部領域２３２により、フェースプレート１００内に完全に封入される。図２においては、内側中間部端部２４５および外側中間部端部２４６は、破線に沿って示されるが、本実施形態においては、中間部２３０と内方板２１０または外方板１２０との間の界面は、視覚的におよび／または構造的にシームレスまたは認識不可能であってもよい。
【００４３】
フェースプレート１００の各部分が、それぞれ異なる厚さを有することが可能である。本例においては、外方板１２０の厚さは、約０．０３インチ（約０．０８ｍｍ）であり、中間部２３０の厚さは、約０．０７インチ（約１．７８ｍｍ）であり、内方板の厚さは、一定ではなく、中央部付近では約０．０５インチ（約０．１３ｍｍ）であり、周縁部付近では約０．０３インチ（約０．０８ｍｍ）である。本例において、内方板２１０の厚さは、外方板１２０の厚さよりも大きく、内方板２１０は、フェースプレート１００の衝突表面から離れる方向に向くことにより、フェースプレート全体にわたって衝突応力をより良好に分配する。いくつかの例においては、内方板２１０および外方板１２０の厚さは、相互に実質的に同様であることが可能であり、および／または変化しなくてもよい。
【００４４】
本例において、フェースプレート１００は、内方板２１０、外方板１２０、および中間部２３０が単一の一体材料片として、共に組み合わされた状態で図示される。いくつかの例においては、内方板２１０、外方板１２０、および／または中間部２３０は、高圧工程および／または高温工程を介するように、接着剤または固定具の使用を伴わずに共に組み合わされてもよい。これと同じまたは他の例においては、かかる工程は、拡散接合工程を含んでもよい。内方板２１０と外方板１２０との間に中間部２３０を合体させて単一の一体材料片にすることが可能であることは、セル格子２４０によるフェースプレート１００の重量の軽減など、多数の利点をもたらし得る。いくつかの例においては、フェースプレート１００内にセル格子２４０を封入することにより、約８％〜約２５％の重量削減が可能となり得る。このような結果は、フェースプレート１００の強度または耐久性を損なうことなく、かつ、例えばフェースプレート１００が、セル格子２４０が露出された状態でおよび／または内方板２１０もしくは外方板１２０の一方を有さずに作製された場合などに、不均一な応力分布の結果として生じる、不利な曲げ易さ、易弾性、および／または撓曲のし易さをもたらすことなく、達成され得る。一例としては、および図が飛ぶが、図５は、セル格子に対して結合された単一の板のみを備える一実施形態における、露出されたセル格子空隙部分のおよびその周囲の高密度の点で示した中央領域により表されるような、不利に集中した不均一な応力分布を示した、有限要素解析図の断面図を示す。
【００４５】
図３に戻ると、中間部層３３０を含む、組み合わされる前のフェースプレート１００を備える種々の層３００の部分の斜視図が示される。本例においては、中間部２３０は、フェースプレート１００の単一の一体材料片に組み合わされる中間部層３３０を備える。同じまたは他の例においては、複数の中間部層３３０は、上述の高圧工程および高熱工程により共に組み合わされ得る。図３において分かるように、内方板２１０および外方板１２０もまた、外方板層３２０および内方板層３１０などの複数の層から形成することが可能であり、これらは、フェースプレート１００の単一の一体材料片に組み合わされ得る。本実施形態においては、内方板２１０は、外方板１２０が備える外方板層３２０の個数よりも多数の内方板層３１０を備えるが、このような関係が逆となる、あるいは、両板が同一個数の層を備える、他の実施形態が可能である。しかしながら、内方板２１０、外方板１２０、および／または中間部２３０の中の１つまたは複数が、互いに結合された複数の層ではなく、単一の層を初めから備え得る、他の実施形態であってもよい。
【００４６】
図３は、金属材料シートとして層３００の部分を示し、互いに組み合わされた場合にセル格子２４０を形成するように構成された代表的な切欠部を有する中間部層３３０を示す。図４は、格子パターン３４１および位置合わせ要素３５１〜３５４を備える、中間部２３０の中間部層３３１の正面図を示す。格子パターン３４１は、切欠部３４２などの複数の切欠部を備え、これらは、壁部２４１の層部分と、セル格子２４０のセル２４２の容積の層部分と、を画定する。いくつかの例においては、セル格子２４０は、層３００（図３）を組み合わせる前に、中間部層３３０の各格子パターンの切欠部を機械加工することによっておよび／または化学エッチングすることによってなど、１つまたは複数の工程によって形成されてもよい。セル格子２４０あるいはその要素の中の１つまたは複数の機械加工を伴う例においては、かかる機械加工は、コンピュータ数値制御（ＣＮＣ）機械加工、ウォータージェット切断、および／または放電加工によって等、１つまたは複数の技法を介して実施され得る。
【００４７】
本例においては、格子パターン３４１の切欠部は、全て相互に同様であるが、切欠部が、異なるジオメトリ、異なる寸法を（それぞれ異なる半径、それぞれ異なる外周長、それぞれ異なる面積、および／またはそれぞれ異なる容積など）を有し得るような、他の例が可能である。これと同じまたは他の例は、セル２４２の個数密度がフェースプレート１００の標的衝突領域１５０の付近では低いパターン、および／または、セル２４２のサイズもしくは寸法がフェースプレート１００の標的衝突領域１５０の付近では小さいパターンなどの、他のパターンを備えてもよい。
【００４８】
図４を参照すると、中間部層３３１の位置合わせ要素３５１〜３５４が、層３００（図３）の中の他のものの対応する位置合わせ要素の代表として示される。位置合わせ要素３５１〜３５４は、層３００の中の各層の各位置合わせ要素３５１〜３５４が、層３００が図３に示すように積層される場合に、単一の配向のみにおいて相互に位置合わせされるように構成される。したがって、位置合わせ要素３５１〜３５４は、層３００の全てにわたり相互に位置合わせされると、壁部２４１および格子パターン３４１などの中間部層３３０の種々の格子パターンもまた位置合わせされて、層３００が組み合わされるとセル格子２４０（図２〜図３）が生じる。本例においては、層３００全体にわたり位置合わせ要素３５１〜３５４を位置合わせすることにより、種々の層３００の切欠部もまた、相互に位置合わせされることとなる。例えば、図３において分かるように、切欠部３４２、３４３は、中間部層３３０のそれぞれに位置するが、位置合わせ要素３５１〜３５４が層３００全体にわたり位置合わせされると、共にセル軸３５０を中心として配置される。層３００が組み合わされると、セル軸３５０を中心として配置された中間部層３３０の各切欠部により、セル格子２４０のセル２４２の中の単一のセルが画定される。しかしながら、中間部層３３０のそれぞれの切欠部が、セル軸を中心として位置合わせされる、又は、配置されるのではなく、相互からオフセットされ得る他の例であってもよい。
【００４９】
本例においては、フェースプレート１００の各層３００は、同一タイプの材料を含む。一例としては、中間部２３０、内方板２１０、および外方板１２０、ならびに各中間部層３３０、内方板層３１０、および外方板層３２０は、金属合金などの金属材料を含む。本例においては、層３３１などの層３００の各層が、約０．０１インチすなわち約０．２５ｍｍの厚さを有し得る。これと同じまたは他の実施形態においては、かかる層３００の中の１つまたは複数が、約０．２５ｍｍ〜約２．５４ｍｍの範囲内の厚さを有し得る。
【００５０】
本実施形態においては、フェースプレート１００の層３００用の金属材料は、少なくとも約８％（体積％）のアルミニウムを含むチタン合金を含むことが可能である。これと同じまたは他の例においては、金属合金は、８％のＡｌ、１％のＶ、および０．２％のＳｉを含み、残りの合金組成は、チタンとおそらく何らかの微量元素であるＴｉ−９Ｓなどのチタン合金を含むことができる。いくつかの実施形態においては、Ｔｉ−９Ｓは、６．５％〜８．５％のＡｌ、１％〜２％の間のＶ、最大０．０８％のＣ、最大０．２％のＳｉ、最大０．３％のＦｅ、最大０．２％のＯ、最大０．０５％のＮ、極微量のＭｏ、および極微量のＳｎを含み、残りの合金組成はチタンである。これと同じまたは他の例においては、金属合金は、約８％のアルミニウム、１％のバナジウム、および１％のクロムを有する、チタン８−１−１合金を含むことが可能である。強度に応じて、βタイプ結晶構造としてのそれらの脆性／弾性を考慮して、他の材料が使用されてもよい。例えば、いくつかの実施形態において、約６％のアルミニウムおよび４％のバナジウムを有するチタン６−４合金が使用されてもよいが、これはチタン８−１−１よりも５％〜１２％低弾性になり得るため、フェースプレート１００がゴルフ衝撃応力に適切に耐えるようにするために、さらなる補強または厚さが必要となり得る。これに対して、市販の純チタンなどの他の材料は、フェースプレート１００が受ける応力に適切に耐えるのには適さない場合がある。
【００５１】
層３００の金属合金は、共に組み合わされる前にはαタイプ結晶構造を備え、上述の高熱工程および高圧工程などにより組み合わせた後にはより強力なβタイプ結晶構造を備え得る例が可能である。一例としては、αタイプ結晶構造は、六角形結晶相を備えてもよく、および／または、βタイプ結晶構造は、体心立方結晶相を備えてもよい。組合せ工程が完了することによりフェースプレート１００用の単一の一体材料片が得られると、βタイプ結晶構造への変態によって、層３００の隣接し合う層の結晶構造が、分子レベルにおいて共に相互に結合することが可能となり得る。
【００５２】
図３、４において分かるように、層３００を含む金属材料のシートは、本例においてはフェースプレート１００よりも大きい。これと同じまたは他の例において、フェースプレート１００は、層３００が単一の一体材料片へと組み合わされると、図４において点線で示される切断外周部などのフェースプレート１００のフェースプレートエッジ１０１を画定する切断外周部に沿ったウォータージェット切断によりまたは他の切断により、金属材料のシートの他の部分から分離され得る。
【００５３】
本例においては、フェースプレート１００は、図４に示す例示的な中間部層３３１から分かるように、中間部２３０の中央領域にセル格子２４０を備える。また、中間部２３０は、セル格子２４０を囲むおよびセル２４２を有さない周縁中間部領域２３２をさらに備える。したがって、セル格子２４０は、周縁中間部領域２３２によりフェースプレートエッジ１０１から分離される。いくつかの例においては、フェースプレートエッジ１０１からセル格子２４０を分離することにより、セル格子２４０は、フェースプレート１００がゴルフクラブヘッド１０の前方端部に対して結合された場合に、クラブヘッドボディ１０９との界面または溶接ゾーンから離間されることが可能となり得る。これと同じまたは他の例においては、フェースプレートエッジ１０１およびクラブヘッドボディ１０９との界面からセル格子２４０をこのように離間させることは、フェースプレート１００とクラブヘッドボディ１０９との間のより良好な溶接または接合を可能にするのに、有利となり得る。しかしながら、セル格子２４０が中間部２３０内において、フェースプレートエッジ１０１またはその付近まで延在し得る他の例も可能である。
【００５４】
セル格子２４０は、図４において分かるように、本例では六角形ごとに６つのサブセルを有する六角形アイソグリッドパターンを備えることにより、強度対重量性能および強化ハニカム構造の万能性が得られる。本実施形態においては、６つのサブセルはそれぞれ、同一の三角形形状を有する。これと同じまたは他の例においては、（内方板２１０と外方板１２０との間の）セルまたはサブセルの壁部の深さが、約０．０７インチ（約１．７８ｍｍ）であることが可能であり、セルまたはサブセルの壁部の長さが、約０．０６インチ（約１．５３ｍｍ）であることが可能であり、および／または、セルまたはサブセルの壁部の厚さが、約０．０１インチ（約０．２５ｍｍ）であることが可能である。これと同じまたは他の例においては、セルまたはサブセルの壁部の深さは、約１．２７ｍｍ〜約３．０５ｍｍであることが可能であり、セルまたはサブセルの壁部の長さは、約１ｍｍ〜約３．０５ｍｍであることが可能であり、および／または、セルまたはサブセルの壁部の厚さは、約０．２０ｍｍ〜約０．７６ｍｍであることが可能である。しかしセル格子の他の例は、種々の形状および／または寸法を備え得る。
【００５５】
続けて図面を見ると、図６は、フェースプレート１００のセル格子２４０の一部分の斜視図であり、内方板２１０、外方板１２０、および周縁中間部領域２３２は、明瞭化のために省かれている。セル格子２４０は、２つ以上の壁部２４１が結合されるセル連接部４４３などの複数のセル連接部を備える。本例においては、セル連接部は、セルの壁部同士の間に弓状移行部を有する。例えば、壁部６４１２および６４１３は、セル連接部４４３において合流し、セル連接部４４３におけるこれらの壁部同士の間の接合部は、尖鋭状または鋭角状ではなく、弓状を有する。本例においては、かかる弓状接合部は、約０．０５インチ（約０．１３ｍｍ）の半径を有するが、弓状接合部が約０．０２５ｍｍ〜約０．４０ｍｍの半径を有し得る他の例も可能である。かかる弓状特徴部は、例えば、セル格子中の材料疲労および／またはクラッキングを引き起こし得る応力を集中させ得る鋭角のエッジまたは隅部を回避するためなどに有益である。
【００５６】
また本例において、１つまたは複数のセル連接部は、内方中間部端部２４５から外方中間部端部２４６までにわたり、セル連接部４４３内に延在する連接部チャネル４４３１などの各連接部チャネルを備えることが可能である。連接部チャネル４４３１は、本例においては約０．０１５インチ（約０．３８ｍｍ）の最大寸法または直径を有するが、同様の連接部チャネルが、約０．２ｍｍ〜約０．６６ｍｍの直径および／または最大寸法を有し得る例も可能である。
【００５７】
さらに、セル格子２４０は、本例においては、セル２４２の中の少なくとも２つの隣接し合うセル同士の間の横方向通路６４４などの、１つまたは複数の横方向通路をさらに備える。横方向通路６４４は、本例においては約０．０５インチ（約１．２７ｍｍ）の最大寸法または直径を有するが、同様の横方向通路が、約０．５ｍｍ〜約１．２７ｍｍの直径および／または最大寸法を有し得る例も可能である。
【００５８】
連接部チャネル４４３１および横方向通路６４４などの特徴が加わることにより、フェースプレート１００の強度または完全性を損なうことなく、重量をさらに軽減することが可能となる。また、連接部チャネル４４３１および／または通路６４４のジオメトリおよび／または形状は、セル２４２と同一のジオメトリおよび／または形状か、あるいは別のジオメトリおよび／または形状となるように変更されてもよい。さらに、各連接部チャネル４４３１および／または通路６４４は、それぞれ異なるジオメトリおよび／または形状を有することが可能である。
【００５９】
図７は、セル格子７４０の一部分を示す。いくつかの例においては、セル格子７４０は、セル格子２４０（図１〜図４、図６）と同様であることが可能であり、図１〜図３において、フェースプレート１００に関連して上述したように、内方板２１０と外方板１２０との間などの板間に配置され得る。セル格子７４０は、それぞれ壁部２４１および壁部２４２（図１〜４、図６）と同様の、壁部７４１およびセル７４２を備えるが、壁部７４１は、非一定の壁部寸法を有する。一例としては、壁部７４１１の壁部厚さ寸法は、その長さに沿って変化し、壁部厚さは、その長さの中心付近ではより薄く、その長さの端部付近ではより厚い。本例において、壁部厚さ寸法のかかる非一定性が、セル７４２の寸法にも影響を及ぼすため、アイソグリッド三角形セルの壁部は、弓状脚部を備え、セル連接部７４３などのセル連接部を囲むセルによって画定される六角形形状は、弓状および／または円形状となる。他の例においては、壁部厚さ寸法は、それらの各長さの中央付近においてより厚くなることによって、およびその各長さ方向端部付近においてより薄くなることによってなど、別様に変化することが可能である。
【００６０】
図８は、セル格子８４０の一部分を示す。いくつかの例においては、セル格子８４０は、セル格子２４０（図１〜図４、図６）および／またはセル格子７４０（図７）と同様であることが可能である。セル格子８４０は、フェースプレート１００（図１〜図４、図６）に関連して上述したように、それぞれ内方板２１０および／または外方板１２０と同様であり得る板８１０と８２０との間に位置する。セル格子８４０は、壁部２４１およびセル２４２（図１〜図４、図６）と、および／または壁部７４１およびセル７４２（図７）とそれぞれ同様である、壁部８４１およびセル８４２を備える。壁部８４１は、本実施形態においては非一定の壁部寸法を有する。一例としては、壁部８４１１の壁部厚さ寸法は、その高さに沿って変化し、壁部厚さは、その高さの中央付近ではより薄く、その高さの端部付近ではより厚い。本例においては、壁部厚さ寸法のかかる非一定性が、セル８４２の寸法にやはり影響を及ぼし、したがって、セル８４２は、より大きな容積および弓状寸法を有し得る。他の例においては、壁部厚さ寸法は、それらの各高さの中央付近においてより厚いことによって、およびそれらの各高さ方向端部付近においてより薄いことによってなど、別様に変化することが可能である。
【００６１】
図が飛ぶが、図２７は、非一定壁部寸法を備えたセル格子１８４０の一部分または断面を示している。いくつかの実施形態においては、セル格子１８４０は、セル格子２４０（図１〜図４、図６）、セル格子７４０（図７）、および／またはセル格子８４０（図８）と同様のものとすることができる。セル格子１８４０は、板１８１０と板１８２０の間に位置し、フェースプレート１００（図１〜図４、図６）に関連して上述したように、それぞれが、内方板２１０および／または外方板１２０と同様であり得る。セル格子１８４０は、壁部１８４１および空所もしくはセル１８４２を備え、それぞれが、壁部２４１およびセル２４２（図１〜図４、図６）、壁部７４１およびセル７４２（図７）、ならびに／または壁部８４１およびセル８４２（図８）と同様のものである。
【００６２】
図２７を参照すると、示された実施形態においては、セル壁部１８４１は、壁部８４１と同様に変化する壁部厚さ１８５１を含む。いくつかの実施形態においては、壁部厚さ１８５１は、格子の中央領域付近よりも内方板１８１０および外方板１８２０の付近で大きい。例えば、示された実施形態においては、壁部１８４１の厚さ寸法は、その高さに沿って変化し、壁部厚さは、その高さの中心に向けて薄くなり、その高さの端部に向けて厚くなる。さらに、示された実施形態においては、セル壁部厚さ１８５１は変化して砂時計形状を画定する。壁部厚さ１８５１の変化はまた、セル１８４２の寸法に影響を与え、したがってより大きな容積と弓状寸法を備えることができる。他の実施形態においては、壁部厚さ１８５１は、その各高さの中心に向けて厚くなり、かつその各高さ端部に向けて薄くなることによるなど、その他の形で変化することができる。さらに、他の実施形態においては、セル壁部１８４１は、円形、楕円形、正方形、矩形、三角形、もしくは任意の他の多角形などの任意の形状、または少なくとも１つの湾曲した表面を備える形状を有することができる。
【００６３】
多くの実施形態においては、最も小さい、または最低の壁部厚さ１８５１は、約０．００５インチから約０．２インチの範囲とすることができる。いくつかの実施形態においては、最も小さい、または最低の壁部厚さ１８５１は、約０．２０インチ以下、約０．１５インチ以下、約０．１０インチ以下、約０．０５インチ以下、または約０．０２インチ以下とすることができる。例えば、示された実施形態においては、最も小さい、または最低の壁部厚さ１８５１は、約０，０２０インチである。他の実施形態においては、最も小さい、または最低の壁部厚さ１８５１は、約０．０２５インチ、約０．０５インチ、約０．１０インチ、約０．１５インチ、または約０．２インチをすることができる。
【００６４】
図２７をさらに参照すると、セル１８４２は、セル幅１８５２を備える。セル幅１８５２は、内方板１８１０および／または外方板１８２０からの距離と共に変化する。示された実施形態においては、セル幅１８５２は、セルの中心１８５１付近で最大であり、内方板１８１０および外方板１８２０付近で減少する。他の実施形態では、セル幅１８５２は、任意の容量で変化することができる。例えば、他の実施形態においては、セル幅１８５２は、内方板１８１０および外方板１８２０の付近で最大になることができ、またセルの中心１８５１付近で減少することができる。
【００６５】
多くの実施形態においては、最大、または最高のセル幅１８５２は、約０．００５インチから約０．２インチの範囲とすることができる。いくつかの実施形態においては、最大、または最高のセル幅１８５２は、約０．２０インチ以下、約０．１５インチ以下、約０．１０インチ以下、約０，０５インチ以下、または約０．０２５インチ以下とすることができる。例えば、示された実施形態においては、最大、または最高のセル幅１８５２は、約０．０４５インチである。他の実施形態においては、最大、または最高のセル幅１８５２は、約０．０２５インチ、約０．０５インチ、約０．１０インチ、約０．１５インチ、または約０．２インチとすることができる。
【００６６】
示された実施形態においては、セル１８４２は、互いに結合される、またはセル格子１８４０の全体を通して連続的なものである。他の実施形態においては、セル１８４２は別個のものとすることができる。
【００６７】
図２７をさらに参照すると、本実施形態において、セル壁部１８４１は、実質的に砂時計形状をしている。さらに本実施形態において、セル壁部１８４１は、内方板１８１０付近の単一の第１の点、および外方板１８２０付近の単一の第２の点で、隣接するセル壁部１８４１に重なる、もしくは接触する、または交差する。セル壁部１８４１は、内方板１８１０と外方板１８２０の間におけるセル壁部１８４１内の中心で延びるセル壁部軸１８４４を備える。セル壁部１８４１は、隣接するセル壁部軸１８４４の間の距離として測定された中心間距離１８５４だけ、隣接するセル壁部１８４１から離間されている。
【００６８】
多くの実施形態においては、隣接する軸１８４４の間の中心間距離１８５４は、約０．００５インチから約０．２インチの範囲とすることができる。いくつかの実施形態においては、隣接する軸１８４４の間の中心間距離１８５４は、約０．２０インチ以下、約０．１５インチ以下、約０．１０インチ以下、約０．０５インチ以下、または約０．０２５インチ以下とすることができる。例えば、示された実施形態においては、隣接する軸１８４４の間の中心間距離１８５４は、約０，０５０インチである。他の実施形態においては、隣接する軸１８４４の間の中心間距離１８５４は、約０．０２５インチ、約０．０５イン、約０．１０インチ、約０．１５インチ、または約０．２インチとすることができる。
【００６９】
さらに図２７を参照すると、セル壁部１８４１は、セル壁部軸１８４４から角度１８５０で延びる。多くの実施形態においては、セル壁部１８４１は、セル壁部軸１８４４から約４５度以下の角度で延びる。これらの、または他の実施形態においては、セル格子１８４０を有するフェースプレート１００は、セル１８４２内で支持構造を使用することなく、以下の方法５００００で説明されるようにプリントすることができる。他の実施形態においては、セル壁部１８４１は、セル壁部軸１８４４から０度を超え、１８０度未満の任意の角度で延びることができる。
【００７０】
図２５および図２６を参照すると、示された実施形態においては、フェースプレート１００の一部分は、セル格子１８４０を用いて形成される。これらの、または他の実施形態においては、セル格子１８４０を用いて形成されたフェースプレート１００の一部分は、以下の方法５００００で説明されるように、次に、フェースプレート１００の残りの部分に結合することができる。他の実施形態においては、フェースプレート１００の全体は、フェースプレート１００の少なくとも一部分を含むセル格子を有する単一の構成要素として形成することができる。例えば、他の実施形態においては、フェースプレート１００の全体は、セル格子１８４０を備え、かつ単一の構成要素として形成することができる。さらなる例に関して、他の実施形態においては、フェースプレート１００の一部分（例えば、中央部）は、セル格子１８４０を備えることができ、またフェースプレート１００は、単一の構成要素として形成することができる。
【００７１】
示された実施形態において、セル格子１８４０を有するフェースプレート１００の一部分は、実質的に円形である。他の実施形態においては、セル格子１８４０を有するフェースプレート１００の一部分は、任意の他の形状を備えることができる。例えば、他の実施形態においては、セル格子１８４０を有するフェースプレート１００の一部分は、以下の方法５００００でさらに詳細に説明するように、楕円形形状を備えることができる。さらなる例に関して、他の実施形態においては、セル格子１８４０を有するフェースプレート１００の一部分は、正方形、三角形、任意の他の多角形、または少なくとも１つの湾曲した表面を有する任意の形状を備えることができる。
【００７２】
図２８Ａ、図２８Ｂ、および図２８Ｃは、様々な実施形態によるセル格子１８４０を有するフェースプレート１００の一部分の正面断面図を示している。図２８Ａで示される実施形態においては、セル壁部軸１８４４は、フェースプレート１００の中央部から放射状に位置している。他の実施形態においては、セル壁部軸１８４４は、他の構成を有することができる。例えば、セル壁部軸１８４４は、図２８Ｂで示されるようにダイヤモンド形状のパターンで、図２８Ｃで示されるように六角形形状のパターンで、または任意の他の形状で構成することができる。さらに、図２８Ａ〜図２８Ｃの示された実施形態においては、セル壁部軸１８４４は、同じ間隔を備える。他の実施形態においては、セル壁部軸１８４４は、異なる間隔を備えることができる。
【００７３】
多くの実施形態においては、フェースプレート１００のセル格子１８４２は、フェースプレートの重量を低減する。いくつかの実施形態においては、フェースプレート１００のセル格子１８４２は、耐久性を犠牲にすることなくフェースプレートの重量を低減する。いくつかの実施形態においては、フェースプレート１００のセル格子１８４２は、フェースプレートの重量を低減し、かつフェースプレートの耐久性を維持するために、フェースプレートの厚さを増加させる。例えば、いくつかの実施形態においては、セル格子１８４２は、フェースプレートの重量を最高で約３グラム低減することができる。多くの実施形態においては、セル格子１８４２に起因するフェースプレート１００の低減された重量により、付加的な自由裁量の重量を、クラブヘッド上のいずれかに配置して、クラブヘッドの性能特性を向上させるために、望ましいヘッドの重心を達成する、またはクラブヘッドの慣性モーメントを増加させることができる。例えば、クラブヘッドの周縁部上に配置された増加させた自由裁量の重量は、クラブヘッドの慣性モーメントを増加させて、結果としてクラブヘッドの寛容性を増加させることができる。多くの実施形態においては、フェースプレートからクラブヘッドの周縁部へとシフトされた重量は、クラブヘッドの他の部分（例えば、クラウン）からシフトされた重量よりも大きな慣性の増加を生ずる可能性がある。さらに、多くの実施形態においては、フェースプレート１００のセル格子１８４２は、フェースプレートの柔軟性を増加させて、ゴルフボールとのインパクト時にフェースプレートの曲がりを増加させ、したがって、ゴルフボールへのエネルギー伝達を増加させ、ボール速度および移動距離を増加させる。
【００７４】
図を遡ると、図１１は、非一定の壁部寸法を有するセル格子１１４０の一部分を示している。いくつかの例においては、セル格子１１４０は、セル格子２４０（図１〜図４、図６）、セル格子７４０（図７）、および／またはセル格子８４０（図８）と同様であることが可能である。セル格子１１４０は、フェースプレート１００（図１〜図４、図６）に関連して上述したように、それぞれ内方板２１０および／または外方板１２０と同様であり得る板１１１０と板１１２０との間に位置する。セル格子１１４０は、壁部２４１およびセル２４２（図１〜図４、図６）と、壁部７４１およびセル７４２（図７）と、および／または壁部８４１およびセル８４２（図８）とそれぞれ同様である、壁部１１４１およびセル１１４２を備える。また、壁部１１４１は、本実施形態においては非一定の壁部寸法を有し、板１１１０と板１１２０との間の厚さがテーパ状となる。一例としては、壁部１１４１１が、板１１２０に向かってはより厚くなり、板１１１０に向かってはより薄い厚さへと縮小する。これと同じまたは他の例においては、板１１２０は、フェースプレートの外側表面を備えるように構成され、壁部１１４１のより厚い部分が、フェースプレートの衝突表面の方向を向く。しかし、壁部１１４１のより薄い部分が、フェースプレートの衝突表面の方向を向く他の実施形態も存在し得る。
【００７５】
図面を遡るが、図９は、セル格子９４０の一部分を図示する。いくつかの例においては、セル格子９４０は、セル格子２４０（図１〜図４、図６）セル格子７４０（図７）、セル格子８４０（図８）、および／またはセル格子１１４０（図１１）と同様であってもよい。セル格子９４０は、フェースプレート１００（図１〜図４、図６）に関連して、上述したように、それぞれ内方板２１０および／または外方板１２０と同様であり得る板９１０と板９２０との間に位置する。セル格子９４０は、セル２４２（図１〜図４、図６）と、セル７４２（図７）と、セル８４２（図８）と、および／またはセル１１４２（図１１）とそれぞれ同様であり得るセル９４２を備える。セル９４２は、本例において、相互にオフセットされる。例えば、セル９４２１はセル９４２２からオフセットされ、セル９４２２はセル９４２３からオフセットされる。さらに、本例においては、中間部層９３１〜９３３は、セル格子９４０を備える中間部９３０を画定する。中間部層９３１〜９３３は、フェースプレート１００の中間部層３３０（図３）に関連して上述したように、中間部層３３０と同様であることが可能であり、共に組み合わされ得る。中間部層９３１〜９３３はそれぞれ、複数の層を備えることが可能であり、これらは後に共に組み合わされて中間部９３０を形成する。本例においては、セル９４２２は、中間部層９３１、９３２、９３３の中実部分により、少なくとも部分的に覆われるかまたは画定され、セル９４２１は、中間部層９３１および９３２ならびに板９２０の中実部分により、少なくとも部分的に覆われるかまたは画定される。
【００７６】
しかし、他のタイプの幾何学形状、寸法、またはそれらの組合せを有するセル格子を備え得る他の例が可能である。例えば、図１２に飛ぶと、セル格子１２４０は、六角形セル１２４２を画定する壁部１２４１を有するものとして示される。図１３は、ダイヤモンド型セルまたは正方形セル１３４２を画定する壁部１３４１を有するセル格子１３４０を示す。図１４は、丸形セルまたは円形セル１４４２を画定する壁部１４４１を備えるセル格子１４４０を示す。また、中でも五角形セル、八角形セル、三角形セル、およびそれらの組合せなどの他の形状が、これと同じまたは他のセル格子の例において実装され得る。例えば、図１５は、三角形セル１５４３を間に織り交ぜた円形セル１５４２を画定する壁部１５４１を有するセル格子１５４０を示す。
【００７７】
また、セル格子の各セルがサブセルを中に備え得る例も可能である。例えば、セル２４２（図１〜図４、図６）は、いくつかの例においては、セル格子２４０のより大きな六角形セルのサブセルを画定するものとして見なすことが可能である。別の例においては、図１６は、セル１６４２を画定する壁部１６４１を有するセル格子１６４０を示し、セル１６４２のセルサブセット１６５０は、セルサブセット１６５０の各セル内のサブ壁部１６５１により画定されたサブセル１６５２を備える。セルサブセット１６５０等のセルサブセットは、その位置において予想される応力に対する補強するような特定の位置に位置してもよい。いくつかの例においては、かかるセルサブセットは、フェースプレート１００の標的衝突領域１５０（図１）等の、フェースプレートの標的衝突領域にまたはその付近に位置してもよい。セル格子に関するセル、サブセル、形状、および／または寸法の他の組合せが、本明細書において開示されるまたはそれと同様の異なるセル、サブセル、形状、および／または寸法を組み合わせることによって形成されてもよい。
【００７８】
セル格子１２４０（図１２）、１３４０（図１３）、１４４０（図１４）、１５４０（図１５）、１６４０（図１６）、は、いくつかの点において異なることが可能であるが、これらは、セル格子２４０（図１〜図４、図６）、セル格子７４０（図７）、セル格子８４０（図８）、および／またはセル格子１１４０（図１１）の中の１つまたは複数と他の点では同様であってもよい。
【００７９】
いくつかの例においては、セル格子のセルの高さは、セルごとに異なってもよい。一例としては、図１７は、セル格子２４０（図１〜図４、図６）と同様のセル格子１７２４０を有するフェースプレート１７１００の断面図を示す。しかし、セル格子１７２４０は、高さが相互に異なるセルを備える。本例においては、セル１７２４２の高さは、セル１７２４６の高さよりも高く、セル１７２４６の高さは、セル１７２４８の高さよりも高い。セル格子１７２４０のセルは、本例においては、より大きな応力が予想され得る標的衝突領域１７１５０の中央部に向かって高さが小さくなるように位置決めされる。さらに、標的衝突領域１７１５０の真ん中部分は、本例においてはさらなる補強のためにセル格子１７２４０のいかなるセルも有さない。しかし、他の例は、異なるパターンで高さが変化するセルを有するセル格子を備えてもよい。
【００８０】
図１８は、ゴルフクラブヘッドのフェースプレート１８１００の正面「Ｘ線」透視図を示す。フェースプレート１８１００は、非一定のセル寸法を有するセル格子１８２４０を備える。本例においては、セル格子１８２４０は、標的衝突領域１８１５０の中央に向かってサイズが小さくなるセル１８２４２の格子を備える。これと同じまたは他の例においては、セル格子１８２４０のセル１８２４２同士の間の壁部は、標的衝突領域１８１５０の中央に向かって厚さを大きくすることが可能である。他の例においては、セル１８２４２のサイズおよび／またはセル同士の間の壁部の厚さは、クラウン領域付近、ソール領域付近、ヒール領域付近、および／またはトウ領域付近など、フェースプレート１８１００の別の領域に向かってサイズが大きくするまたは小さくすることが可能である。
【００８１】
これと同じまたは他の例においては、セル１８２４２のサイズは、標的衝突領域１８１５０の中心からの距離に応じて縮小または増大し得る。しかし、他の例においては、セル１８２４２のサイズおよび／または密度は、上部エッジから下部エッジもしくはフェースプレートにかけて増大または縮小することによって、および／またはフェースプレートのヒール端部からトウ端部までにわたり増大または縮小することによって等、フェースプレートの別の特徴に対して変化することが可能である。いくつかの例においては、セル１８２４２は、標的衝突領域１８１５０の中心までの距離が短くなるにつれて、セル間で約１％〜約１０％の間でサイズまたは寸法が縮小し得る。これと同じまたは他の実施形態においては、セル１８２４２同士の間の距離は、標的衝突領域１８１５０の中心までの距離が短くなるにつれて、セル間で約１％〜約１０％の間で増大し得る。また、標的衝突領域１８１５０の中心に対するセル１８２４２のサイズまたは密度の変化は、非線形関数および／または段階関数の様式で変化し得る例も可能である。
【００８２】
セル格子１８２４０のセル１８２４２は、図１８では円形セルとして示されるが、セル１８２４２は、上述の非一定セルサイズの特徴を実現するために使用され得る他の形状、サイズ、または寸法を表すものであることが可能である。例えば、セル格子１８２４０のセルは、代わりに、いくつかの実装形態においては、フェースプレート１８１００の少なくとも一部分にわたりサイズまたは密度を依然として変化させつつ、三角形、六角形、ダイヤモンド形、八角形、五角形、アイソグリッド、および／またはそれらの何らかの組合せなどの他の幾何学形状を有することが可能である。
【００８３】
図１９は、ゴルフクラブヘッドのフェースプレート１９１００の正面図を示す。フェースプレート１９１００は、１つまたは複数のセル格子により種々のセル格子領域１９５００へと細分化される。本例においては、セル格子領域１９５００は、中央格子領域１９５１０および周縁格子領域１９５２０を備え、中央格子領域１９５１０は、フェースプレート１９１００の中央領域に位置し、その外周部の周囲において周縁格子領域１９５２０によって囲まれる。中央格子領域１９５１０は、本例においてはより弾性的な周縁格子領域１９５２０よりもより剛直であることが可能であり、セル格子領域１９５００の弾性は、所望の弾性率範囲を実現するのに適したセルパターン、特徴、および／または寸法を実装することによって微調整され得る。いくつかの例においては、中央格子領域１９５１０を周縁格子領域１９５２０よりも剛直にすることにより、フェースプレートの標的衝突領域に命中しなかったゴルフショットに対するさらなる寛容性を許容し得る。これと同じまたは他の例においては、ゴルフクラブの特性時間（ＣＴ）もまた、セル格子領域１９５００などのフェースプレートの種々の部分の柔軟性または弾性を調節することによって、調節または制御され得る。しかし、中央格子領域１９５１０が周縁格子領域１９５２０よりも剛直である必要がない、および／または、中央格子領域１９５１０および周縁格子領域１９５２０が実質的に同様の剛直性または弾性率を有し得る、他の例も可能である。
【００８４】
いくつかの例において、中央格子領域１９５１０は、フェースプレート１００の標的衝突領域１５０（図１）と同様もしくは一致するものであってもよく、または本明細書において説明される他のフェースプレートの他の標的衝突領域と同様もしくは一致するものであってもよい。本例においては、セル格子領域１９５００は、本明細書において説明されるセル格子の中の１つまたは複数を備えるか、または、それらと類似するものであってもよいが、少なくとも１つの特徴に関して相互に異なり得る。一例としては、中央格子領域１９５１０は、アイソグリッドセル格子２４０（図１〜図４、図６）と同様のセル格子を備えていてもよく、周縁格子領域１９５２０は、六角形セル格子１２４０（図１２）と同様のセル格子を備えていてもよい。別の例としては、中央格子領域１９５１０は、円形セル格子１４４０（図１４）と同様のセル格子を備えていてもよく、周縁格子領域１９５２０は、多形状セル格子１５４０（図１５）と同様のセル格子を備えていてもよい。さらに別の例としては、セル格子領域１９５００のいくつかのセルが、サブセルおよび／またはサブ壁部を備えていてもよい。例えば、中央格子領域１９５１０のセルは、セルサブセット１６５０（図１６）と同様のサブセルおよびサブ壁部を備えていてもよく、周縁格子領域１９５２０のセルは、サブセルまたはサブ壁部を備える必要はない。これと同じまたは他の例においては、セル格子領域１９５００は、それぞれ異なる高さのセルを備えていてもよい。例えば、中央格子領域１９５１０は、図１７の標的衝突領域１７１５０のセルなどの、低い高さのセルを備えていてもよく、周縁格子領域１９５２０は、周縁格子領域１９５２０のセルよりも高いセルを備えていてもよい。これと同じまたは他の例においては、中央格子領域１９５１０は、周縁格子領域１９５２０のセルにより囲まれるが、セルを部分的にまたは全く有さなくてもよい。
【００８５】
図２０は、ゴルフクラブヘッドのフェースプレート２０１００の正面図を示す。フェースプレート２０１００は、１つまたは複数の格子を有する種々のセル格子領域２０５００へと細分化される。本例においては、セル格子領域２０５００は、中央格子領域２０５１０および周縁格子領域２０５２０を備え、周縁格子領域２０５２０は、ヒール格子領域２０５２１およびトウ格子領域２０５２２を備える。中央格子領域２０５１０は、フェースプレート２０１００の中央領域に位置し、周縁格子領域２０５２０により少なくとも部分的に囲まれる。セル格子領域２０５００は、本明細書において説明されるセル格子の中の１つまたは複数を備えるかまたはそれらと類似するものであることが可能であるが、剛性、弾性、および／または備えるセル格子のタイプに関してなど、少なくとも１つの特徴に関して相互に異なり得る。一例としては、中央格子領域２０５１０は、フェースプレート２０１００の上端部および下端部の方向に延在し、他の点では中央格子領域１９５１０（図１９）と同様であってもよく、周縁格子領域２０５２０は、周縁格子領域１９５２０（図１９）と同様であってもよい。本例においては、周縁格子領域２０５２０のセル格子は、相互に同様であることが可能であるが、かかるセル格子が相互に異なり得る他の例も可能である。
【００８６】
本例においては、中央格子領域２０５１０は、ヒール格子領域２０５２１およびトウ格子領域２０５２２よりも剛性が高く、格子領域２０５２１の剛性およびトウ格子領域２０５２２の剛性は、相互に同様であってもよい。しかし、ヒール格子領域２０５２１の剛性がトウ格子領域２０５２２の剛性よりも高くてもよく、またはその逆となり得る例であってもよい。フェースプレート２０１００の種々の領域について、かかる種々の剛性オプションを確立することが可能であることにより、例えば、スイング時のゴルフシャフト軸を中心としたクラブヘッド回転により誘発されるようなフェースプレート間におけるクラブヘッド速度の差異に起因するボール速度の最適化、平均衝突位置における付勢の相殺、および／またはクラブヘッドの標的衝突領域の形状もしくは位置の微調整などが可能となり得る。さらに、セル格子領域２０５００は、本例においては１つまたは複数の境界チャネル２０６００により相互に離間される。境界チャネル２０６００は、中にセル格子を有さないが、境界チャネル２０６００が、本明細書において説明されるセル格子の中の１つまたは複数と同様のセル格子を備え得る例もまた可能である。しかし、他の例においては、フェースプレート２０１００は、セル格子領域２０５００同士が相互に接触するまたは組み合わされるように、境界チャネル２０６００を有さないことも可能である。
【００８７】
図２１は、ゴルフクラブヘッドのフェースプレート２１１００の正面図を示す。フェースプレート２１１００は、１つまたは複数のセル格子により、種々のセル格子領域２１５００へと細分化される。本例においては、セル格子領域２１５００は、中央格子領域２１５１０および周縁格子領域２１５２０を備え、周縁格子領域２１５２０は、ヒール格子領域２１５２１、トウ格子領域２１５２２、上部格子領域２１５２３、および下部格子領域２１５２４を備える。中央格子領域２１５１０は、フェースプレート２１１００の中央格子領域に位置し、周縁格子領域２１５２０により少なくとも部分的に囲まれる。セル格子領域２１５００は、本明細書において説明されるセル格子の中の１つまたは複数を備えるかまたはそれらと類似するものであることが可能であるが、剛性、弾性、および／または、備えるセル格子のタイプに関してなど、少なくとも１つの特徴に関して相互に異なり得る。一例としては、中央格子領域２０５１０は、中央格子領域１９５１０（図１９）、および／または、中央格子領域２０５１０（図２０）と同様であってもよい。周縁格子領域２１５２０は、周縁格子領域１９５２０（図１９）、および／または、周縁格子領域２０５２０（図２０）と同様であってもよい。本例においては、周縁格子領域２１５２０により構成されるセル格子同士が、相互に異なる。例えば、上部格子領域２１５２３のセル格子および下部格子領域２１５２４のセル格子は、ヒール格子領域２１５２１のセル格子およびトウ格子領域２１５２２のセル格子とは異なる。これと同じまたは他の例においては、上部格子領域２１５２３のセル格子は、下部格子領域２１５２４のセル格子と同様であってもよく、トウ格子領域２１５２２のセル格子は、ヒール格子領域２１５２１のセル格子と同様であってもよい。しかし、他の例においては、上部格子領域２１５２３、下部格子領域２１５２４、トウ格子領域２１５２２、および、ヒール格子領域２１５２１のそれぞれのセル格子が全て、相互に同様であってもよい。
【００８８】
本例においては、中央格子領域２１５１０は、周縁格子領域２１５２０よりも剛性が高くてもよい。周縁格子領域２１５２０の剛性は、実施形態次第で、相互に同様、または、相互に異なっていてもよい。例えば、上部格子領域２１５２３の剛直性および下部格子領域２１５２４の剛性は、ヒール格子領域２１５２１の剛性およびトウ格子領域２１５２２の剛性より高くてもよく、またはその逆であってもよい。また、各周縁格子領域２１５２０が異なる剛性を有し得る例も可能である。フェースプレート２１１００の種々の領域についてかかるそれぞれ異なる剛性オプションを確立することが可能であることにより、フェースプレート２０１００に関連して、上述したものと同様の利点に関してさらなる代替的利点がもたらされ得る。本例においては、セル格子領域２１５００は、境界チャネル２０６００（図２０）と同様であることが可能な、１つまたは複数の境界チャネル２１６００によって相互から離間される。
【００８９】
図２２は、ゴルフクラブヘッドのフェースプレート２２１００の正面図を示す。フェースプレート２２１００は、１つまたは複数のセル格子を有する種々のセル格子領域２２５００へと細分化される。本例においては、セル格子領域２２５００は、中央格子領域２２５１０および周縁格子領域２２５２０を備え、周縁格子領域２２５２０は、上部ヒール格子領域２２５２１、上部トウ格子領域２２５２２、下部トウ格子領域２２５２３、および下部ヒール格子領域２２５２４を備える。中央格子領域２２５１０は、フェースプレート２１１００の中央領域に位置し、周縁格子領域２２５２０により少なくとも部分的に囲まれる。セル格子領域２２５００は、本明細書において説明されるセル格子の中の１つまたは複数を備えるか、またはそれらと類似するものであってもよいが、剛性、弾性、および／または備えるセル格子のタイプに関してなど、少なくとも１つの特徴に関して相互に異なり得る。いくつかの例においては、中央格子領域２２５１０は、中央格子領域２１５１０（図２１）と同様であってもよく、周縁格子領域２２５２０は、周縁格子領域２１５２０と同様であってもよいが、フェースプレート２２１００内における位置に関して変更され得る。一例においては、上部ヒール格子領域２２５２１のおよび上部トウ格子領域２２５２２の剛性および／またはセル格子が、下部ヒール格子領域２２５２４のおよび下部トウ格子領域２２５２３の剛性および／またはセル格子と異なり得る。別の例においては、上部トウ格子領域２２５２２、および下部トウ格子領域２２５２３の剛性および／またはセル格子が、上部ヒール格子領域２２５２１、および下部ヒール格子領域２２５２４の剛性および／またはセル格子と異なり得る。また、各周縁格子領域２２５２０の剛性および／またはセル格子が、相互に異なる実施形態も可能である。フェースプレート２２１００の種々の領域について、かかるそれぞれ異なる剛性オプションを確立することが可能であることにより、フェースプレート２０１００および／または２１１００に関連して上述した利点と同様の利点に関して、さらなる代替的利点がもたらされ得る。本例においては、セル格子領域２２５００は、境界チャネル２０６００（図２０）と同様であることが可能な１つまたは複数の境界チャネル２２６００により、相互に離間される。
【００９０】
図面を遡ると、図１０は、ゴルフクラブヘッド用のフェースプレートを提供するための方法１００００のフローチャートを示す。いくつかの実施形態においては、フェースプレートは、フェースプレート１００（図１〜図４、図６）と、および／または、図７〜図９、図１１、および／または図１２〜図１１に関連して説明したものなどの１つまたは複数のセル格子を備えるフェースプレートと、同様であることが可能である。
【００９１】
方法１００００のブロック１０１００は、フェースプレートの内方板を提供する工程を含む。方法１００００のブロック１０２００は、フェースプレートの外方板を提供する工程を含む。いくつかの例においては、ブロック１０１００の内方板は、内方板２１０と同様であってもよく、ブロック１０２００の外方板は、外方板１２０（図２〜図３）と同様であってもよい。これと同じまたは他の例においては、ブロック１０１００は、内方板の第１の内方板層および第２の内方板層を提供する工程を含んでもよく、かかる第１の内方板層および第２の内方板層は、内方板層３１０（図３）と同様であってもよい。これと同じまたは他の例においては、ブロック１０２００は、外方板の第１の外方板層および第２の外方板層を提供する工程を含んでもよく、かかる第１の外方板層および第２の外方板層は、外方板層３２０（図３）と同様であってもよい。
【００９２】
方法１００００のブロック１０３００は、フェースプレートの中間部を提供する工程を含む。いくつかの例においては、中間部は、中間部２３０（図１〜図４、図６）および／または中間部９３０（図９）と同様であってもよい。これと同じまたは他の例においては、ブロック１０３００は、ブロック１０３００の中間部の第１の中間部層および第２の中間部層を提供するためのサブブロック１０３１０を含んでいてもよい。第１の中間部層および第２の中間部層が中間部層３３０（図３）と同様であり得る例も可能である。本例においては、ブロック１０１００の内方板、ブロック１０２００の外方板、およびブロック１０３００の中間部は、別個の異なる部分として提供されるが、これらの中の２つが既に共に合体された状態で提供され得る他の実施形態が可能である。
【００９３】
いくつかの例においては、ブロック１０３００は、中間部内にセル格子を形成するためのサブブロック１０３２０をさらに含んでいてもよい。このセル格子は、複数のセルを画定する複数の壁部を備える。いくつかの例においては、セル格子は、中間部２３０のセル格子２４０（図２〜図６）と、セル格子７４０（図７）、８４０（図８）、９４０（図９）、１１４０（図１１）、１２４０（図１２）、１３４０（図１３）、１４４０（図１４）、１５４０（図１５）、１６４０（図１６）、１７２４０（図１７）、および／またはセル格子１８２４０（図１８）の中の１つまたは複数と、フェースプレート１９１００（図１９）、２０１００（図２０）、２１１００（図２１）、および／またはフェースプレート２２１００（図２２）のセル格子領域により構成されるセル格子の中の１つまたは複数と、および／または本明細書において説明されるセル格子と同様の他のセル格子変形例と、同様であってもよい。
【００９４】
サブブロック１０３２０は、第１の中間部層を貫通するセル格子の第１の格子パターンを形成するためのサブブロック１０３２１、および／または第２の中間部層を貫通するセル格子の第２の格子パターンを形成するためのサブブロック１０３２２を含んでもよい。いくつかの例においては、サブブロック１０３２１の第１の格子パターンは、中間部層３３１を貫通するセル格子パターン３４１（図３〜図４）と同様であってもよい。これと同じまたは他の例においては、サブブロック１０３２２の第２の格子パターンは、中間部層３３２の格子パターン２４２（図３）などの、別の中間部層の別の格子パターンと同様であってもよい。また、サブブロック１０３２１〜１０３２２の第１の格子パターンおよび第２の格子パターンが、図７〜図９または図１１〜図２２のセル格子の格子パターンと、および／または本明細書において説明されるセル格子と同様の他のセル格子変形例と、一致する例があってもよい。
【００９５】
サブブロック１０３２１は、第１の中間部層を貫通する第１の切欠部を形成する工程を含んでもよく、第１の切欠部は、セル格子の第１のセルの第１の容積部分を画定するように構成される。同様に、サブブロック１０３２２は、第２の中間部層を貫通する第２の切欠部を形成する工程を含んでもよく、第２の切欠部は、セル格子の第１のセルの第２の容積部分を画定するように構成される。一例としては、第１の切欠部は、中間部層３３１を貫通する切欠部３４２（図３）と同様であってもよく、第２の切欠部は、中間部層３３２を貫通する切欠部３４３（図３）と同様であってもよく、これにより、サブブロック１０４１１（下方に図示）などによって中間部層３３０同士が共に結合された場合に、切欠部３４２および３４３により画定された容積同士は、合体することによってセル格子２４０のセルの容積の少なくとも一部を画定する。サブブロック１０３２２が、異なる半径、異なる外周長、異なる面積、または異なる容積など、第１の切欠部とは異なる寸法を有するように第２の切欠部を形成することを含み得る例も可能である。したがって、第１の切欠部および第２の切欠部は、相互に同等である必要はなく、そのため、セル格子のセルの容積および／または形状に対して所望の特徴をさらに画定する自由度が高まる。
【００９６】
いくつかの例において、ブロック１０３２０においてセル格子を形成することは、第１の切欠部および第２の切欠部が、セル格子２４０のセルの第１のセル軸を中心として配置されるように、第１の中間部層の上に第２の中間部層を位置合わせすることを含んでいてもよい。一例としては、図３〜図４に関連して上述したように、中間部層３００は、各位置合わせ要素３５１〜３５４を備え、中間部層３００のスタック全体にわたり、各位置合わせ要素３５１〜３５４を位置合わせすることによって、相互に位置合わせされ得る。したがって、層３３１の切欠部３４２および層３３２の切欠部３４３は、セル軸３５０を中心として配置されることにより、最終的には、相互に対して位置合わせされた状態となる。この場合に、セル軸３５０は、中間部２３０中のセル格子２４０のセルを画定する層３３０の積層された切欠部中を貫通する。いくつかの例においては、位置合わせ要素は、対応する形状および／または位置取りにより、位置合わせのために相互に合致し得る、穴および／またはくぼみ部などの特徴部を備えていてもよい。図３〜図４の例に関して、位置合わせ要素３５１〜３５４は、相互にオフセットされることにより、単一の配向のみにおいて層３００の隣接し合う層を位置合わせすることが可能となる。
【００９７】
また、中間部の積層された層の全ての切欠部が、セル軸を中心として配置されて、相互に位置合わせされる必要はない例も可能である。いくつかの実施形態においては、セル格子の切欠部および／またはセルは、相互にオフセットされてもよい。例えば、ブロック１０３２１において、第１の格子パターンを形成する工程は、第１のセルの第１の容積部分を画定するために、第１の中間部層を貫通する第１の切欠部を形成する工程を含んでいてもよく、第２の格子パターンブロック１０３２２を形成する工程は、セル格子の第２のセルの第２の容積部分を画定するために、第２の中間部層を貫通する第２の切欠部を形成する工程を含んでいてもよい。これと同じまたは他の例においては、第２のセルは、第１の中間部層および／またはセル外方板の中実部分により、少なくとも部分的に覆われるかまたは画定され得る、および／または、第１のセルは、第２の中間部層および／または内方板の中実部分により少なくとも部分的に覆われるかまたは画定され得る。例えば、図９に示すように、中間部層９３１〜９３３は、セル９４２１、９４２２、および９４２３が相互にオフセットされて、セル９４２１が層９３２の中実部分９３２１により、少なくとも部分的に覆われるかまたは画定され、セル９４２２が層９３１の中実部分９３１１により、少なくとも部分的に覆われるかまたは画定されるように、相互に対して位置合わせおよび積層され得る。中間部９３０は、図９においては単純化のために層９３１〜９３３として示されるが、層９３１〜９３３は、それぞれ、これと同じまたは他の実施形態においては共に積層された複数の中間部層に相当し得る。
【００９８】
方法１００００のブロック１０４００は、ブロック１０１００の内方板とブロック１０２００の外方板との間で、ブロック１０３００の中間部を結合する工程を含む。いくつかの例においては、中間部は、ブロック１０１００の内方板に対して結合された内方中間部端部と、ブロック１０２００の外方板に対して結合された外方中間部端部と、を備えてもよく、中間部は、それらの間に「挟まれる」。これと同じまたは他の例においては、ブロック１０４００は、接着剤または固定具を用いることなく、内方板、中間部、および外方板を共に組み合わせて、単一の一体材料片にするためのサブブロック１０４１０を含んでいてもよい。例えば、内方板、中間部、および外方板は、拡散接合工程等の、図２〜図３に関連して上述したような高熱および高圧工程により、共に組み合わされてもよい。サブブロック１０４１０が、単一の一体材料片が内方板と中間部との間、および、中間部と外方板との間においてシームレスになるように実施され得る実施形態が可能である。これと同じまたは他の例においては、サブブロック１０４１０は、第１の中間部層および第２の中間部層を、単一の材料片へと共に一体的に組み合わせるためのサブブロック１０４１１を含んでいてもよい。一例としては、サブブロック１０４１１は、上述のように中間部層３３０（図３）を共に組み合わせることを含んでいてもよい。これと同じまたは他の例においては、サブブロック１０４１０は、内方板層３１０（図３）同士を共に組み合わせて、および／または外方板層３２０（図３）同士を共に組み合わせて、フェースプレート用の単一の材料片にすることをさらに含んでいてもよい。
【００９９】
内方板と中間部と外方板との間の、および／またはそれらの各層同士の間の、かかるシームレスな組合せおよび単一片組合せは、この組合せが分子レベルで生じる場合に可能となる。例えば、内方板、中間部、および外方板はいずれも、同一の金属材料を含むように提供することが可能であり、かかる材料は、拡散接合工程によってなど、高熱および高圧工程が実施される場合に、分子レベルでフェースプレートの種々の部分を組み合わせるのに適するように選択され得る。いくつかの例においては、金属材料は、上述のような金属合金を含むことが可能であり、分子レベルでの組合せは、金属材料の結晶構造を活用することにより、フェースプレート用の単一の材料片を生成するための一体接合を実現することが可能である。一例としては、内方板は、ブロック１０１００において、αタイプ構造の第１の結晶構造を備えるように提供されてもよく、外方板は、ブロック１０２００において、αタイプ構造の第２の結晶構造を備えるように提供されてもよく、中間部は、ブロック１０３００において、αタイプ構造の中間部結晶構造を備えるように提供されてもよい。次いで、ブロック１０４００で、内方板の第１の結晶構造、外方板の第２の結晶構造、および中間部の中間部結晶構造が、βタイプ結晶構造へと変態されて、中間部結晶構造が第１の結晶構造と相互に結合し、中間部結晶構造が第２の結晶構造と相互に結合し得る。いくつかの例においては、αタイプ構造は、六角形結晶相を備えることが可能であり、βタイプ構造は、体心立方結晶相を備えることが可能である。
【０１００】
方法１００００のブロック１０５００は、オプションであってもよく、ゴルフクラブヘッドの前端部に対して、フェースプレートを結合する工程を含む。いくつかの例においては、ゴルフクラブヘッドは、図１に示すようなゴルフクラブヘッド１０と同様のものであってもよい。フェースプレートは、フェースプレートエッジ１０１（図１〜図２）などのフェースプレートエッジを、ゴルフクラブヘッドの前面の開口に対して合わせることにより結合され得る。いくつかの例においては、このような合わせは、溶接工程および／またはろう付け工程により実現され得る。
【０１０１】
いくつかの例においては、サブブロック１０３２０において形成されるような、中間部のセル格子は、中間部の中央中間部領域に位置することが可能であって、中央中間部領域を囲む中間部の周縁中間部領域は、セル格子および／またはセルを有さなくてもよい。一例としては、周縁中間部領域は、セル格子２４０（図１〜図４）を備える中間部２３０の中央領域を囲む中間部２３０の周縁中間部領域２３２と同様であってもよい。いくつかの実施形態においては、周縁中間部領域２３０は、中央中間部領域内のセル格子２４０を、フェースプレートエッジ１０１から少なくとも約０．１インチ（２．５４ｍｍ）だけ離間させ得る。
【０１０２】
これと同じまたは他の例においては、ブロック１０５００において、フェースプレートを結合する工程が、内方板周縁領域２１２（図２）に対してなど、ブロック１０１００の内方板の内方板周縁領域に対して、または外方板周縁領域２２２（図２）に対してなど、ブロック１０２００の外方板の外方板周縁領域に対して、またはそれらの両方に対して、ゴルフクラブヘッドの前方端部を結合することを含んでいてもよい。例えば、内方板周縁領域および／または外方板周縁領域は、中間部中央領域のセル格子に接触しないようになど、上述の周縁中間部領域と位置合わせされ得る。しかし、セル格子が、フェースプレートの中間部領域の全体にわたり延在することにより、内方板周縁領域および外方板周縁領域が、セル格子に接触し得る、他の例も可能である。
【０１０３】
ブロック１０３２０において形成されるセル格子は、複数の特徴の中の１つまたは複数を備えることが可能である。例えば、セル格子の複数のセルが、図４および図６〜図７において、セル格子２４０に関連して示されるものなどの六角形パターンで形成され得る。これと同じまたは他の例においては、セル格子は、セル格子２４０、７４０に関連してやはり示されるようなアイソグリッドパターンで形成され得る。セル格子は、これと同じまたは他の例においては、複数の壁部の中の２つ以上が共に結合される複数のセル連接部を備えていてもよい。例えば、セル連接部は、セル連接部４４３（図４、図６）と、および／またはセル連接部７４３（図７）と同様であってもよい。セル連接部の中の１つまたは複数は、図６に示すような内方中間部端部２４５から外方中間部端部２４６までにわたりセル連接部４４３を貫通して延在する連接部チャネル４４３１など、中間部の内方中間部端部から外方中間部端部までにわたり延在する連接部チャネルを備えてもよい。
【０１０４】
続いて、ブロック１０３２０におけるセル格子に関する複数の特徴の中の１つまたは複数の例に関しては、セル格子を形成する工程が、非一定の寸法を有するようにセル格子の１つまたは複数の壁部を形成することを含み得るような実施形態も可能である。一例としては、セル格子は、非一定の長さ方向厚さ寸法を有する壁部７４１（図７）の中の１つなどの、および／または非一定の深さ方向厚さ寸法を有する壁部８４１および／または１１４１（図８および図１１）の中の１つなどの、壁部を備えていてもよい。これと同じまたは他の例においては、セル格子を形成することは、漸減密度パターンでおよび／または漸減サイズパターンで、複数のセルを形成することを含んでいてもよい。例えば、漸減サイズパターンにおいては、複数のセルは、図１７〜図１８に関連して示し説明したように、フェースプレートの標的衝突領域に向かってサイズまたは寸法が小さくなり得る。漸減密度パターンにおいては、複数のセルは、フェースプレートの標的衝突領域に向かって密度が低くなり得る。
【０１０５】
これと同じまたは他の例においては、セル格子は、セル格子の隣接し合うセル同士の間に、１つまたは複数の横方向通路を備えていてもよい。一例としては、セル格子は、図６に示すような横方向通路を備えていてもよく、横方向通路６４４は、セル２４２の隣接し合うセル同士の間で壁部６４１１を貫通する。これと同じまたは他の例においては、横方向通路の形成は、例えば中間部２３０の積層形成（図１〜図４、図６）などにより、容易化することが可能であり、横方向通路６４４などの横方向通路の特徴は、ブロック１０３００において、ブロック１０４００の実施前の各中間部層３３０に対して形成され得る。
【０１０６】
また、単一のフェースプレートが、図１９〜図２２に関連して説明されるように、複数のセル格子領域を備え得る例も可能である。いくつかの例においては、複数のセル格子領域の中のセル格子領域同士は、相互に同様であってもよい。他の例においては、複数のセル格子領域の中の２つ以上のセル格子領域は、剛性、弾性、および／または備えるセル格子のタイプに関してなど、少なくとも１つの特徴に関して相互に異なっていてもよい。
【０１０７】
いくつかの例においては、方法１００００の種々のブロックの中の１つまたは複数は、単一ブロックに結合されるか、もしくは同時に実行され得る、および／または、かかるブロックの順序が変更され得る。例えば、ブロック１０１００の内方板は、ブロック１０３００の中間部と同時に提供されてもよく、および／または、ブロック１０２００の外方板は、ブロック１０３００の中間部と同時に提供されてもよい。別の例としては、サブブロック１０３２１および１０３２２の順序は変更され得る。
【０１０８】
これと同じまたは他の例においては、方法１００００のブロックのいくつかが、いくつかのサブブロックへと細分され得る。例えば、ブロック１０５００は、ゴルフクラブヘッドの前方端部に対してフェースプレートを固定するためのサブブロックと、フェースプレートおよび／またはゴルフクラブヘッドの前方端部との連接部を研磨するための別のサブブロックとを含んでもよい。また、方法１００００がさらなる、または異なるブロックを含み得る例も可能である。加えて、方法１００００が上述のステップの一部のみを含み得る例も存在し得る。例えば、ブロック１０５００は、いくつかの例においてはオプションであってもよい。他の変形例は、本開示の範囲から逸脱することなく、方法１００００に対して実装され得る。
【０１０９】
図２３は、ゴルフクラブヘッド用のフェースプレートを製造する方法５００００に対するフローチャートを示す。いくつかの実施形態においては、フェースプレートは、フェースプレート１００（図１〜図４、図６）、ならびに／または、例えば、図７〜図９、図１１、図１２〜図２２、および／または図２４〜図２７）に関して説明したものなど、１つまたは複数のセル格子を備えるフェースプレートと同様のものであり得る。
【０１１０】
方法５００００のブロック５０１００は、ゴルフクラブヘッド用のフェースプレート、またはフェースプレートの一部分をプリントする工程を含み、フェースプレートまたはその一部分は、内方板２１０、外方板１２０、中間部２３０、および複数の開口部１６０（図２４で示されている）を備えるセル格子を有する。複数の開口部１６０のそれぞれは、セル格子の中間部内のセルから内方板を通り、セル格子の中間部内のセルから外方板を通り、またはセル格子の中間部内のセルからフェースプレートの外方板を通って延びることができる。
【０１１１】
図２４を参照すると、複数の開口部は、ブロック５０１００の過剰な粉末材料を除去できるように、セル格子上に配置され得る。いくつかの例においては、複数の開口部１６０の少なくとも１つが、フェースプレートまたはセル格子領域の中央部付近に配置され、さらなる開口部１６０は、フェースプレートまたはセル格子領域の周縁部の方向に、またはその付近に配置される。例えば、図２５で示される実施形態においては、複数の開口部１６０は、フェースプレートの中央部付近に配置された開口部、およびセル格子の周縁部近くに配置されたさらなる開口部を含む。他の実施形態においては、複数の開口部１６０は、フェースプレートの中央部付近に配置された複数の開口部、およびフェースプレートまたはセル格子領域の周縁部の近くに配置されたさらなる開口部を含んでいてもよい。さらに他の実施形態においては、複数の開口部１６０は、フェースプレートの中央部付近に配置された１つまたは複数の開口部、および図２６で示されるように、周縁チャネル１６８を形成するセル格子の周縁部近くに配置されたさらなる開口部を含んでいてもよい。図２６を参照すると、示された実施形態においては、周縁チャネルは、約０．０３から約０，０５インチの範囲の幅を有する。例えば、周縁チャネルは、約０．０３インチ、約０．０３５インチ、約０，０４インチ、約０．０４５インチ、または約０．０５インチの幅を有することができる。いくつかの実施形態においては、周縁チャネルは、セル格子の内方板を通って配置され得る。他の実施形態においては、周縁チャネルは、セル格子の外方板を通って配置され得る。
【０１１２】
いくつかの例においては、複数の開口部１６０は、内方板を有するフェースプレートを通って、またはその側部上に配置することができる。いくつかの例においては、複数の開口部１６０は、外方板を有するフェースプレートを通って、またはその側部上に配置することができる。いくつかの例においては、複数の開口部１６０のいくつかは、内方板を有するフェースプレートを通って、またはその側部上に配置することができ、残りの開口部１６０は、外方板を有するフェースプレートを通って、またはその側部上に配置することができる。
【０１１３】
多くの実施形態においては、複数の開口部１６０の直径は、約０．００５インチから約０．２インチの範囲とすることができる。いくつかの実施形態においては、複数の開口部１６０の直径は、約０．０２５インチから約０．０７５インチ、約０．０２インチから約０．１０インチ、または約０．０１インチから約０．１５インチの範囲とすることができる。例えば、示された実施形態においては、複数の開口部１６０の直径は、約０．０５インチである。さらに、示された実施形態においては、複数の開口部１６０のそれぞれは、同じ直径を有する。他の実施形態においては、複数の開口部のそれぞれは、異なる直径を有することができる。
【０１１４】
多くの実施形態においては、複数の開口部１６０のそれぞれは、複数の開口部の直径の２倍以上の距離だけ他の開口部から離間されている。他の実施形態においては、複数の開口部のそれぞれは、複数の開口部の直径の３、４、５、または６倍以上の距離だけ他の開口部から離間され得る。
【０１１５】
いくつかの例においては、ブロック５０１００のフェースプレートは、直接金属レーザー焼結法を用いて１層ごとにプリントすることができる。他の例においては、フェースプレートは、例えば、選択的レーザー焼結法、３Ｄプリンティング、光造形法、薄膜積層法、熱溶解積層法、または電子ビーム積層造形法などの他の工程を用いてプリントすることができる。いくつかの実施形態においては、セル格子（例えば、セル格子１８４０）を有するフェースプレートは、プリント以外の方法を用いて形成することはできない。例えば、多くの実施形態においては、セル格子１８４０のセル１８４２は、鋳造するには小さすぎる寸法を含む。他の例に関して、多くの実施形態においては、セル格子１８４０の連続するセル１８４２は、この工程が中間部層の連続性を必要とするので、内方板、中間部、および外方板層を一緒に組み合わせる使用を妨げる。
【０１１６】
いくつかの例においては、フェースプレートは、粉末材料を用いてプリントされ得る。いくつかの例においては、粉末材料は、粉末金属材料とすることができる。いくつかの例においては、ブロック５０１００の粉末金属材料は、少なくとも約８％のアルミニウム（容積で）を含むチタン合金とすることができる。これと同じまたは他の例では、金属合金は、約８％のアルミニウム、１％のバナジウム、および１％のクロムを有するチタン８−１−１合金を含むことができる。これと同じまたは他の例では、ブロック５０１００の粉末金属材料は、８％のＡｌ、１％のＶ、および０．２％のＳｉを含み、残りの合金組成は、チタンとおそらく何らかの微量元素であるＴｉ−９Ｓなどのチタン合金とすることができる。いくつかの実施形態においては、Ｔｉ−９Ｓは、６．５％〜８．５％のＡｌ、１％〜２％の間のＶ、最大０．０８％のＣ、最大０．２％のＳｉ、最大０．３％のＦｅ、最大０．２％のＯ、最大０．０５％のＮ、極微量のＭｏ、および極微量のＳｎを含み、残りの合金組成はチタンである。他の材料を、それらの強度に応じて、βタイプ結晶構造としてのそれらの脆性／弾性を考慮して使用してもよい。例えば、約６％のアルミニウム、および４％のバナジウムを有するチタン６−４合金をいくつかの実施形態において使用してもよいが、チタン８−１−１よりも弾性が５％から１２％低くなる可能性があり、したがって、ゴルフ衝撃応力に適正に耐えるためには、フェースプレート１００に対してさらなる補強または厚さを必要とする可能性がある。
【０１１７】
方法５００００のブロック５０２００は、ブロック５０１００でプリントされたフェースプレートから過剰な粉末金属材料を除去する工程を含む。いくつかの例においては、過剰な粉末材料を除去する工程は、以下で説明するように、複数の開口部１６０に向けられた圧縮空気を用いて達成することができる。
【０１１８】
方法５００００のブロック５０２００は、複数の開口部１６０から過剰な粉末材料を除去するために圧縮空気を加えるサブブロック５０２１０を含むことができる。圧縮空気を、フェースプレートの周縁部上に配置された複数の開口部１６０に向けて導いて、フェースプレートの周縁部近くの過剰な粉末材料の空所を作り出すことができる。いくつかの例においては、圧縮空気は、約３０〜６０ＰＳＩ（１平方インチあたりポンド）の圧力の範囲とすることができる。
【０１１９】
方法５００００のブロック５０２００はまた、セル格子内の過剰な粉末材料を遊離させるために、フェースプレートに力、圧力、または振動を加えるサブブロック５０２２０を含んでいてもよい。いくつかの例では、ゴム製のハンマーを用いて、力または圧力をフェースプレートに加えることができる。他の例においては、セル格子内の過剰な粉末材料を遊離させることができる任意の他の方法を用いて、力または圧力をフェースプレートに加えることができる。いくつかの例においては、超音波振動の形態で、振動をフェースプレートに加えることができる。他の例においては、セル格子内の過剰な粉末材料を遊離できる任意のタイプの振動をフェースプレートに加えることができる。いくつかの例においては、振動は、タンブラもしくは加振機を用いてフェースプレートに加えることができる。他の例においては、過剰な粉末材料を遊離させるためにフェースプレートに振動を加え得る任意の方法を使用することができる。
【０１２０】
方法５００００のブロック５０２００はまた、フェースプレートの中央部付近の少なくとも１つの開口部１６０に圧縮空気を加えるサブブロック５０２３０を含んでいてもよい。フェースプレートの中央部付近の少なくとも１つの開口部１６０に向けた圧縮空気は、過剰な遊離された粉末材料をセル格子からフェースプレートの周縁部方向に押す。いくつかの例においては、圧縮空気は、約３０〜６０ＰＳＩの圧力範囲とすることができる。
【０１２１】
方法５００００のブロック５０２００はまた、サブブロック５０２３０において、セル格子のフェースプレートの中央部からフェースプレートの周縁部にシフトされた過剰な遊離された粉末材料を除去するために、フェースプレートの周縁部に圧縮空気を加えるサブブロック５０２３０を含んでいてもよい。いくつかの例においては、サブブロック５０２２０および５０２３０におけるステップを必要に応じて繰り返して、任意の残りの過剰な粉末材料をフェースプレートのセル格子から除去することができる。
【０１２２】
方法５００００におけるフェースプレートの複数の開口部１６０は、フェースプレートのセル格子から、過剰な粉末材料を除去するための換気システムとして機能する。フェースプレートの中央部付近の少なくとも１つの開口部１６０は、フェースプレート中央部付近に位置する少なくとも１つの開口部１６０を有さないフェースプレートと比較して簡単に除去できるように、過剰な粉末材料を、セル格子のフェースプレートの中央部からセル格子のフェースプレートの周縁部の方向にシフトさせることを補助する。
【０１２３】
方法５００００のブロック５０３００は、フェースプレートの材料と同様もしくは同一の材料で、複数の開口部１６０を充填する工程を含んでいてもよい。いくつかの例においては、複数の開口部１６０は、溶接により充填することができる。他の例においては、複数の開口部１６０は、複数の開口部１６０を充填できる他の方法を用いて充填することができ、同一高さの内方および外方表面を有するフェースプレートが得られる。
【０１２４】
方法５００００のブロック５０４００は、オプションであってもよく、フェースプレートを、またはその一部分をゴルフクラブヘッドの前端部に結合する工程を含む。いくつかの例においては、ゴルフクラブヘッドは、図１で示されたようなゴルフクラブヘッド１０と同様のものとすることができる。いくつかの例においては（例えば、セル格子を有するフェースプレートの全体が単一の構成要素として形成される例において）、フェースプレートは、フェースプレートエッジ１０１（図１〜図２）など、フェースプレートエッジを、ゴルフクラブヘッドの前面の開口に対して合わせることにより結合することができる。いくつかの例においては、このような合わせは、溶接工程、および／またはろう付け工程により達成され得る。セル格子を有するフェースプレートの一部分が形成される例において、フェースプレートの一部分は、溶接および／またはろう付け工程により、フェースプレートの残部、および／またはゴルフクラブヘッドの前部に結合することができる。
【０１２５】
これと同じまたは他の例においては、方法５００００のブロックのいくつかは、いくつかのサブブロックへと分割することができる。方法５００００がさらなる、または異なるブロックを含み得る例もあり得る。例えば、セル格子内の何らかのさらなる過剰な粉末材料を除去するために、ブロック５０２００のステップの後、化学的な溶解を含むステップを実施することができる。いくつかの実施形態においては、化学的な溶解は、上昇させた温度（約摂氏３７度など）で酸性の液体を用いて実施することができ、酸は、例えば、酢酸、安息香酸、炭酸、クエン酸、塩酸、硝酸、硫酸など、約４．０以下のｐＨを有するもの、または約４．０以下のｐＨを有する任意の他の酸であるが、あるいはセル格子内のさらなる過剰な粉末材料を除去できる任意の他の材料を用いて実施することができる。いくつかの実施形態においては、化学的な溶解は、セル格子内の過剰な粉末材料をできるイソプロピルアルコール、または任意の他の液体を用いて実施することができる。
【０１２６】
さらなる例の場合、方法５００００は、隆起部を組み込むためにフェースプレートを曲げることを含むさらなるステップをさらに含むことができる。いくつかの例においては、フェースプレートを曲げることは、セル格子を備えたフェースプレートを形成した後であるが、クラブヘッドの前端部にフェースプレートを結合する前に実施することができる。他の実施形態においては、フェースプレートは、二次的な曲げ作業を必要としないように、隆起部を備えて形成することができる。これらの、または他の実施形態においては、セル格子のジオメトリをそれに応じて調整することができて、フェースプレートまたはその一部分がプリントにより形成されたとき、セルの壁部が垂直軸から約４５度以下の角度で延びることができるようにする、ここで、垂直軸は、プリントされた材料の層により画定される平面に対して直角に位置する。
【０１２７】
これと同じまたは他の例において、方法５００００は、前述のステップの一部だけを含むことができる。例えば、ブロック５０４００は、いくつかの例においてオプションであってもよい。さらに、方法５００００のステップを、異なるシーケンスで実施できる例があり得る。例えば、いくつかの例において、ブロック５０４００は、ブロック５０３００の前に実施することができる。本開示の範囲から逸脱することなく、他の変形形態を、方法５００００に対して実装することができる。
【０１２８】
本明細書においては、内部セル格子を有するゴルフクラブフェースプレートと、それに関連する方法とを、具体的な実施形態を参照として説明したが、本開示の趣旨または範囲から逸脱することなく様々な変更を行い得る。例えば、ゴルフクラブヘッド１０は、図１においてはドライバクラブヘッドとして示されるが、本明細書の開示は、フェアウェイウッド、ハイブリッド、ならびにさらにはパターおよびアイアンなどの内部空洞を有さないクラブヘッドなどの、他のタイプのゴルフクラブヘッドにも適用可能である。かかる変更の追加的な例は、前述の説明に示されている。様々な図の特徴の中の１つまたは複数を有する種々の実施形態の他の置き換えも、同様に企図される。したがって、本明細書においては、明細書、特許請求の範囲、および図面は、本開示の範囲を例示するものとして意図され、限定的なものとしては意図されない。本出願の範囲は、添付の特許請求の範囲が要求する範囲にのみに限定されるように意図される。
【０１２９】
本明細書に論じられる内部セル格子を有するゴルフクラブフェースプレートと、それに関連する方法とは、様々な実施形態において実装することができ、これらの実施形態の中のいくつかに関する前述の論議は、全ての可能な実施形態の完全な説明には必ずしも相当しない。むしろ、図面の詳細な説明および図面自体は、少なくとも１つの好ましい実施形態を開示しており、代替的な実施形態を開示する場合がある。
【０１３０】
項１：内方板と、外方板と、複数の壁部を備えるセル格子であって、内方板と外方板の間で壁部の中心を通って延びる複数の軸であり、壁部は、約４５度以下の角度で軸から延び、また壁部は、内方板付近の単一の第１の点で、かつ外方板付近の単一の第２の点で隣接する壁と交差する、複数の軸、内方板および外方板からの位置に対して変化する壁部厚さ、ならびに複数の壁部により画定される複数のセルであり、内方板と外方板の間に位置し、かつ内方板および外方板からの位置に対して変化するセル幅を有する複数のセルを有するセル格子とを有するフェースプレートを備えるゴルフクラブヘッド。
【０１３１】
項２：壁部厚さは、セル格子の中央領域付近よりも内方板および外方板付近で大きい、項１に記載のゴルフクラブヘッド。
【０１３２】
項３：最小の壁部厚さは、０．００５インチから０．２インチの範囲である、項１に記載のゴルフクラブヘッド。
【０１３３】
項４：最大のセル幅は、０．００５インチから０．２インチの範囲である、項１に記載のゴルフクラブヘッド。
【０１３４】
項５：壁部の厚さが変化して複数の砂時計形状を画定する、項１に記載のゴルフクラブヘッド。
【０１３５】
項６：隣接する軸の間の中心間距離は、０．００５インチから０．２インチの範囲である、項１に記載のゴルフクラブヘッド。
【０１３６】
項７：軸は、フェースプレートの中央部から半径方向に位置する、項１に記載のゴルフクラブヘッド。
【０１３７】
項８：セル格子であって、内方板と、外方板と、複数の壁部であって、内方板と外方板の間で壁部の中心を通って延びる複数の軸であり、壁部が約４５度以下の角度で軸から延びる、複数の軸、ならびに内方板および外方板からの位置に対して変化する壁部厚さを有する複数の壁部と、複数の壁部により画定され、内方板と外方板の間に位置する複数のセルと、セル格子における過剰な材料を除去するための複数の開口部であって、セル格子の中央部付近に位置する少なくとも第１の開口部、およびセル格子の周縁部近くに位置する残りの開口部を含む複数の開口部とを備えるセル格子。
【０１３８】
項９：壁部厚さは、セル格子の中央領域付近よりも内方板および外方板付近の方が大きい、項８に記載のセル格子。
【０１３９】
項１０：最小の壁部厚さは、０．００５インチから０．２インチの範囲である、項８に記載のセル格子。
【０１４０】
項１１：最大のセル幅は、０．００５インチから０．２インチの範囲である、項８に記載のセル格子。
【０１４１】
項１２：壁部の厚さが変化して複数の砂時計形状を画定する、項８に記載のセル格子。
【０１４２】
項１３：隣接する軸の間の中心間距離は、０．００５インチから０．２インチの範囲である、項８に記載のセル格子。
【０１４３】
項１４：軸は、セル格子の中央部から半径方向に位置する、項８に記載のセル格子。
【０１４４】
項１５：複数の開口部は、セル格子の内方板を通るように、またはセル格子の外方板を通るように配置される、項８に記載のセル格子。
【０１４５】
項１６：開口部の直径は、約０．００５インチから０．２インチの範囲である、項８に記載のセル格子。
【０１４６】
項１７：複数の開口部のそれぞれは、開口部の直径の２倍以上の距離だけ残りの開口部から離間される、項８に記載のセル格子。
【０１４７】
項１８：ゴルフクラブヘッドのフェースプレートを製造する方法であって、セル格子を有するフェースプレートの少なくとも一部分をプリントする工程であって、セル格子が、内方板と、外方板と、複数の壁部であって、内方板と外方板の間で壁部の中心を通って延びる複数の軸であり、前記壁部が約４５度以下の角度で軸から延びる、複数の軸、ならびに内方板および外方板からの位置に対して変化する壁部厚さを有する複数の壁部と、複数の壁部により画定され、内方板と外方板の間に位置する複数のセルと、セル格子における過剰な材料を除去するための複数の開口部であって、内方板または外方板を通って配置され、セル格子の中央部付近に位置する少なくとも第１の開口部、およびセル格子の周縁部近くに位置する残りの開口部を含む複数の開口部とを含む、工程と、セル格子から過剰な粉末材料を除去する工程と、複数の開口部を充填する工程とを含む方法。
【０１４８】
項１９：過剰な粉末材料を除去する工程は、セル格子の周縁部付近に位置する複数の開口部に圧縮空気を加える工程と、フェースプレートに力または圧力を加える工程と、セル格子の中央部付近に位置する複数の開口部に圧縮空気を加える工程とを含む、項１８に記載のゴルフクラブヘッドのフェースプレートを製造する方法。
【０１４９】
項２０：開口部の直径は、約０．００５インチから０．２インチの範囲であり、また複数の開口部のそれぞれは、開口部の直径の２倍以上大きい距離だけ残りの開口部から離間される、項１８に記載のゴルフクラブヘッドのフェースプレートを製造する方法。
【０１５０】
１つまたは複数の列挙される要素の置換は、再構築を構成するものとなり、修復とはならない。さらに、利益、他の利点、および問題の解決策を、具体的な実施形態に関連して説明した。しかし、これらの利益、利点、問題の解決策、ならびに、任意の利益、利点、もしくは解決策を行い得るまたはより顕著なものにさせ得る任意の１つまたは複数の要素は、かかる利益、利点、解決策、または要素がかかる特許請求の範囲において明示されない限りは、特許請求の範囲のいずれかまたは全ての重要な、必要な、もしくは必須の特徴または要素として見なすべきではない。
【０１５１】
ゴルフのルールが、時折変更され得る（例えば全米ゴルフ協会（ＵＳＧＡ）、英国ゴルフ協会（Ｒ＆Ａ）、等々のゴルフ基準決定機関および／または監督機関により、新たなレギュレーションが採用される場合がある、または旧式ルールが排除されるもしくは変更される場合がある、など）ため、本明細書において説明される装置、方法、および製造物品に関連するゴルフ用具が、任意の特定の時代におけるゴルフのルールに準拠するまたは準拠しない場合がある。したがって、本明細書において説明される装置、方法、および製造物品に関連するゴルフ用具は、準拠するまたは準拠しないゴルフ用具として、宣伝、売出し、および／または販売される場合がある。本明細書において説明される装置、方法、および製造物品は、この点に関して限定されない。
【０１５２】
上記の例は、ドライバタイプのゴルフクラブに関連して説明され得るが、本明細書において説明される装置、方法、および製造物品は、フェアウェイウッドタイプのゴルフクラブ、ハイブリッドタイプのゴルフクラブ、アイアンタイプのゴルフクラブ、ウェッジタイプのゴルフクラブ、またはパタータイプのゴルフクラブなどの、他のタイプのゴルフクラブに対しても適用可能であり得る。代替的には、本明細書において説明される装置、方法、および製造物品は、ホッケースティック、テニスラケット、釣竿、スキーポール、等々の、適用可能な他のタイプのスポーツ用具であってもよい。
【０１５３】
さらに、本明細書において説明される実施形態および限定は、それらの実施形態および／または限定が、（１）特許請求の範囲において明確には特許請求されないが、（２）均等論の下では特許請求の範囲に明言された要素および／または限定の均等物であるかあるいは潜在的均等物である場合には、共有の原則の下で公有に属するものにはならない。
以下に、本明細書に開示の技術の特徴を列挙する。
［特徴１］
内方板と、
外方板と、
複数の壁部を備えるセル格子であって、
前記内方板と前記外方板の間で前記壁部の中心を通って延びる複数の軸であり、前記壁部は、約４５度以下の角度で前記軸から延び、前記壁部が前記内方板付近の単一の第１の点で、かつ前記外方板付近の単一の第２の点で隣接する壁部と交差する、複数の軸と、
前記内方板および前記外方板からの位置に対して変化する壁部厚さと、
前記複数の壁部により画定される複数のセルであり、前記内方板と前記外方板の間に位置し、かつ前記内方板および前記外方板からの位置に対して変化するセル幅を有する複数のセルと、を有するセル格子と、
を備えるフェースプレートを備えるゴルフクラブヘッド。
［特徴２］
前記壁部厚さは、前記セル格子の中央領域付近よりも前記内方板および前記外方板付近で大きい、特徴１に記載のゴルフクラブヘッド。
［特徴３］
最小の壁部厚さは、０．００５インチから０．２インチの範囲である、特徴１に記載のゴルフクラブヘッド。
［特徴４］
最大のセル幅は、０．００５インチから０．２インチの範囲である、特徴１に記載のゴルフクラブヘッド。
［特徴５］
前記壁部の前記厚さが変化して複数の砂時計形状を画定する、特徴１に記載のゴルフクラブヘッド。
［特徴６］
隣接する軸の間の中心間距離は、０．００５インチから０．２インチの範囲である、特徴１に記載のゴルフクラブヘッド。
［特徴７］
前記軸は、前記フェースプレートの中央部から半径方向に位置する、特徴１に記載のゴルフクラブヘッド。
［特徴８］
セル格子であって、
内方板と、
外方板と、
複数の壁部であって、
前記内方板と前記外方板の間で前記壁部の中心を通って延びる複数の軸であり、前記壁部が約４５度以下の角度で前記軸から延びる、複数の軸と、
前記内方板および前記外方板からの位置に対して変化する壁部厚さと、を有する複数の壁部と、
前記複数の壁部により画定され、前記内方板と前記外方板の間に位置する複数のセルと、
前記セル格子における過剰な材料を除去するための複数の開口部であって、前記セル格子の中央部付近に位置する少なくとも第１の開口部、および前記セル格子の周縁部近くに位置する残りの開口部を含む複数の開口部と、を備えるセル格子。
［特徴９］
前記壁部厚さは、前記セル格子の中央領域付近よりも前記内方板および前記外方板付近の方が大きい、特徴８に記載のセル格子。
［特徴１０］
最小の壁部厚さは、０．００５インチから０．２インチの範囲である、特徴８に記載のセル格子。
［特徴１１］
最大のセル幅は、０．００５インチから０．２インチの範囲である、特徴８に記載のセル格子。
［特徴１２］
前記壁部の前記厚さが変化して複数の砂時計形状を画定する、特徴８に記載のセル格子。
［特徴１３］
隣接する軸の間の中心間距離は、０．００５インチから０．２インチの範囲である、特徴８に記載のセル格子。
［特徴１４］
前記軸は、前記セル格子の中央部から半径方向に位置する、特徴８に記載のセル格子。
［特徴１５］
前記複数の開口部は、前記セル格子の前記内方板を通るように、または前記セル格子の前記外方板を通るように配置される、特徴８に記載のセル格子。
［特徴１６］
前記開口部の直径は、約０．００５インチから０．２インチの範囲である、特徴８に記載のセル格子。
［特徴１７］
前記複数の開口部のそれぞれは、前記開口部の前記直径の２倍以上の距離だけ前記残りの開口部から離間される、特徴８に記載のセル格子。
［特徴１８］
ゴルフクラブヘッドのフェースプレートを製造する方法であって、
セル格子を有するフェースプレートの少なくとも一部分を１層ごとにプリントする工程であって、前記セル格子が、
内方板と、
外方板と、
複数の壁部であって、
前記内方板と前記外方板の間で前記壁部の中心を通って延びる複数の軸であり、前記壁部が約４５度以下の角度で前記軸から延びる、複数の軸と、
前記内方板および前記外方板からの位置に対して変化する壁部厚さと、を有する複数の壁部と、
前記複数の壁部により画定され、前記内方板と前記外方板の間に位置する複数のセルと、
前記セル格子における過剰な材料を除去するための複数の開口部であって、前記内方板または前記外方板を通って配置され、前記セル格子の中央部付近に位置する少なくとも第１の開口部、および前記セル格子の周縁部近くに位置する残りの開口部を含む複数の開口部と、を含む、工程と、
前記セル格子から過剰な粉末材料を除去する工程と、
前記複数の開口部を充填する工程と、を備えるゴルフクラブヘッドのフェースプレートを製作する方法。
［特徴１９］
過剰な粉末材料を除去する前記工程は、
前記セル格子の前記周縁部付近に位置する前記複数の開口部に圧縮空気を加える工程と、
前記フェースプレートに力または圧力を加える工程と、
前記セル格子の前記中央部付近に位置する前記複数の開口部に圧縮空気を加える工程と、
を備える、特徴１８に記載のゴルフクラブヘッドのフェースプレートを製作する方法。
［特徴２０］
前記開口部の直径は、約０．００５インチから０．２インチの範囲であり、また前記複数の開口部のそれぞれは、前記開口部の前記直径の２倍以上大きい距離だけ前記残りの開口部から離間される、特徴１８に記載のゴルフクラブヘッドのフェースプレートを製造する方法。
【図１】
0006639526.tif 000002
【図２】
0006639526.tif 000003
【図３】
0006639526.tif 000004
【図４】
0006639526.tif 000005
【図５】
0006639526.tif 000006
【図６】
0006639526.tif 000007
【図７】
0006639526.tif 000008
【図８】
0006639526.tif 000009
【図９】
0006639526.tif 000010
【図１０】
0006639526.tif 000011
【図１１】
0006639526.tif 000012
【図１２】
0006639526.tif 000013
【図１３】
0006639526.tif 000014
【図１４】
0006639526.tif 000015
【図１５】
0006639526.tif 000016
【図１６】
0006639526.tif 000017
【図１７】
0006639526.tif 000018
【図１８】
0006639526.tif 000019
【図１９】
0006639526.tif 000020
【図２０】
0006639526.tif 000021
【図２１】
0006639526.tif 000022
【図２２】
0006639526.tif 000023
【図２３】
0006639526.tif 000024
【図２４】
0006639526.tif 000025
【図２５】
0006639526.tif 000026
【図２６】
0006639526.tif 000027
【図２７】
0006639526.tif 000028
【図２８Ａ】
0006639526.tif 000029
【図２８Ｂ】
0006639526.tif 000030
【図２８Ｃ】
0006639526.tif 000031